(57)【特許請求の範囲】
【請求項１】
複数種類の図柄を複数列で変動させて表示する変動ゲームを行う表示装置を備えた遊技機において、
演出パターンに基づき、複数回の変動ゲームに亘って実行される停止維持演出を表示装置に実行させる演出制御手段を備え、
前記表示装置は、前記停止維持演出が実行される際、いずれかの図柄列において、図柄の停止表示の維持が開始された場合、当該図柄列では、それ以降、停止維持演出が終了するまで図柄の停止表示を維持するように構成されており、
前記停止維持演出の演出内容を特定する演出パターンには、
前記停止維持演出中、１回目の変動ゲームから各変動ゲームにおいて、予め決められたリーチ形成列のうち１又は複数の図柄列ずつ、図柄の停止表示の維持を開始させ、リーチ形成列のうち全ての図柄列において図柄の停止表示が維持された後において、リーチ演出を実行させる通常パターンと、
前記停止維持演出中、１回目の変動ゲームから所定回数目の変動ゲームを除く各変動ゲームにおいて、予め決められたリーチ形成列のうち１又は複数の図柄列ずつ、図柄の停止表示の維持を開始させる一方、所定回数目の変動ゲームにおいて、図柄の停止表示の維持を開始させず、リーチ形成列のうち全ての図柄列において図柄の停止表示が維持された後において、リーチ演出を実行させる特別パターンと、
前記停止維持演出中、１回目の変動ゲームから所定回数目の変動ゲームまでの各変動ゲームにおいて、予め決められたリーチ形成列のうち１又は複数の図柄列ずつ、図柄の停止表示の維持を開始させる一方、所定回数目の変動ゲームにおいて、図柄の停止表示の維持を開始させず、所定回数目よりも後において、リーチ演出を実行させることなく、停止維持演出が終了するはずれパターンが存在し、
前記特別パターンには、
前記停止維持演出中、所定回数目の変動ゲームまでに、特定の図柄列において図柄の停止表示の維持を開始させる第１特別パターンと、
前記停止維持演出中、所定回数目の変動ゲームまでに、特定の図柄列とは異なる非特定の図柄列において図柄の停止表示の維持を開始させる第２特別パターンが含まれ、
前記はずれパターンには、
前記停止維持演出中、所定回数目の変動ゲームまでに、特定の図柄列において図柄の停止表示の維持を開始させるはずれパターンが含まれる一方、
前記停止維持演出中、所定回数目の変動ゲームまでに、非特定の図柄列において図柄の停止表示の維持を開始させるはずれパターンが含まれないことを特徴とする遊技機。
【請求項２】
前記演出パターンには、前記停止維持演出中、１回目の変動ゲームから全てのリーチ形成列において図柄の停止表示が維持される前までの各変動ゲームにおいて、予め決められたリーチ形成列のうち１又は複数の図柄列ずつ、図柄の停止表示の維持を開始させ、全てのリーチ形成列において図柄の停止表示が維持される前の予め決められた回数目の変動ゲームが実行される場合、リーチ形成列を構成しない図柄列において、図柄の停止表示の維持を開始させる変化パターンが存在することを特徴とする請求項１に記載の遊技機。
【請求項３】
前記演出パターンには、
前記停止維持演出中、１回目の変動ゲームから予め決められた回数目までの各変動ゲームにおいて、特定の図柄列において図柄の停止表示が維持されるまで、予め決められたリーチ形成列のうち１又は複数の図柄列ずつ、図柄の停止表示の維持を開始させる第１変化パターンと、
前記停止維持演出中、１回目の変動ゲームから予め決められた回数目までの各変動ゲームにおいて、非特定の図柄列において図柄の停止表示が維持されるまで、予め決められたリーチ形成列のうち１又は複数の図柄列ずつ、図柄の停止表示の維持を開始させる第２変化パターンが存在し、
前記第１変化パターンに基づき、停止維持演出が実行された場合と、前記第２変化パターンに基づき、停止維持演出が実行された場合とでは、大当りとなる可能性が異なることを特徴とする請求項２に記載の遊技機。
【発明の詳細な説明】
【技術分野】
【０００１】
本発明は、複数列の図柄が変動する変動ゲームが行われる遊技機に関するものである。
【背景技術】
【０００２】
従来、遊技機の一種であるパチンコ遊技機では、遊技者の興趣を向上させるために様々な内容の遊技演出が行われている。例えば、「○図柄でリーチをかけろ！」などといった課題（以下、「ミッション」という）を付与する課題付与演出を行い、見掛け上、ミッションを達成したら大当りとなるように制御するパチンコ遊技機が提案されている（例えば、特許文献１参照）。特許文献１では、図柄変動ゲームで変動する図柄に関連して「○図柄でリーチをかけろ！」とするミッションを、複数回転（複数回の変動）に跨って付与するようになっている。そして、特許文献１では、ミッションの対象となる変動で、付与されるミッションに指定される図柄がいずれかの列に停止すると、該列を変動させないで（ホールドし）残りの列のみを変動させる態様で次変動を実行される。このため、該次変動では、変動開始時から付与されるミッションに指定される図柄がいずれかの列（前の変動で付与されるミッションに指定される図柄が停止していた列）に停止しており、全列が一斉に変動を開始する場合よりもミッションの達成に近づいている感覚を遊技者に与えることで遊技の興趣を向上させている。このような演出を特許文献１では、１回の図柄変動ゲームにおいて、複数回の図柄変動ゲームが実行されているかのように図柄の変動から停止を複数回実行させる演出を行う特殊変動系の変動内容となる図柄変動ゲーム中に出現させるようにしている。
【先行技術文献】
【特許文献】
【０００３】
【特許文献１】特開２００８−１６１５８５号公報
【発明の概要】
【発明が解決しようとする課題】
【０００４】
しかしながら、このような遊技機では、図柄が再変動された図柄列において、ホールドされた図柄と同じ種類の図柄が停止表示されるか否かについて注目されるのみであり、遊技の興趣を十分に向上させているとは言い難かった。
【０００５】
この発明は、このような従来技術に存在する問題点に着目してなされたものである。その目的は、図柄の停止時における遊技の興趣を向上させる遊技機を提供することにある。
【課題を解決するための手段】
【０００６】
上記問題点を解決する遊技機は、複数種類の図柄を複数列で変動させて表示する変動ゲームを行う表示装置を備えた遊技機において、演出パターンに基づき、複数回の変動ゲームに亘って実行される停止維持演出を表示装置に実行させる演出制御手段を備え、前記表示装置は、前記停止維持演出が実行される際、いずれかの図柄列において、図柄の停止表示の維持が開始された場合、当該図柄列では、それ以降、停止維持演出が終了するまで図柄の停止表示を維持するように構成されており、前記停止維持演出の演出内容を特定する演出パターンには、前記停止維持演出中、１回目の変動ゲームから各変動ゲームにおいて、予め決められたリーチ形成列のうち１又は複数の図柄列ずつ、図柄の停止表示の維持を開始させ、リーチ形成列のうち全ての図柄列において図柄の停止表示が維持された後において、リーチ演出を実行させる通常パターンと、前記停止維持演出中、１回目の変動ゲームから所定回数目の変動ゲームを除く各変動ゲームにおいて、予め決められたリーチ形成列のうち１又は複数の図柄列ずつ、図柄の停止表示の維持を開始させる一方、所定回数目の変動ゲームにおいて、図柄の停止表示の維持を開始させず、リーチ形成列のうち全ての図柄列において図柄の停止表示が維持された後において、リーチ演出を実行させる特別パターンと、前記停止維持演出中、１回目の変動ゲームから所定回数目の変動ゲームまでの各変動ゲームにおいて、予め決められたリーチ形成列のうち１又は複数の図柄列ずつ、図柄の停止表示の維持を開始させる一方、所定回数目の変動ゲームにおいて、図柄の停止表示の維持を開始させず、所定回数目よりも後において、リーチ演出を実行させることなく、停止維持演出が終了するはずれパターンが存在し、前記特別パターンには、前記停止維持演出中、所定回数目の変動ゲームまでに、特定の図柄列において図柄の停止表示の維持を開始させる第１特別パターンと、前記停止維持演出中、所定回数目の変動ゲームまでに、特定の図柄列とは異なる非特定の図柄列において図柄の停止表示の維持を開始させる第２特別パターンが含まれ、前記はずれパターンには、前記停止維持演出中、所定回数目の変動ゲームまでに、特定の図柄列において図柄の停止表示の維持を開始させるはずれパターンが含まれる一方、前記停止維持演出中、所定回数目の変動ゲームまでに、非特定の図柄列において図柄の停止表示の維持を開始させるはずれパターンが含まれないことを要旨とする。
【０００７】
上記遊技機において、前記演出パターンには、前記停止維持演出中、１回目の変動ゲームから全てのリーチ形成列において図柄の停止表示が維持される前までの各変動ゲームにおいて、予め決められたリーチ形成列のうち１又は複数の図柄列ずつ、図柄の停止表示の維持を開始させ、全てのリーチ形成列において図柄の停止表示が維持される前の予め決められた回数目の変動ゲームが実行される場合、リーチ形成列を構成しない図柄列において、図柄の停止表示の維持を開始させる変化パターンが存在するようにしてもよい。
【０００８】
上記遊技機において、前記演出パターンには、前記停止維持演出中、１回目の変動ゲームから予め決められた回数目までの各変動ゲームにおいて、特定の図柄列において図柄の停止表示が維持されるまで、予め決められたリーチ形成列のうち１又は複数の図柄列ずつ、図柄の停止表示の維持を開始させる第１変化パターンと、前記停止維持演出中、１回目の変動ゲームから予め決められた回数目までの各変動ゲームにおいて、非特定の図柄列において図柄の停止表示が維持されるまで、予め決められたリーチ形成列のうち１又は複数の図柄列ずつ、図柄の停止表示の維持を開始させる第２変化パターンが存在し、前記第１変化パターンに基づき、停止維持演出が実行された場合と、前記第２変化パターンに基づき、停止維持演出が実行された場合とでは、大当りとなる可能性が異なるようにしてもよい。
【発明の効果】
【０００９】
本発明によれば、図柄の停止時における遊技の興趣を向上させることができる。
【図面の簡単な説明】
【００１０】
【図１】パチンコ機を示す正面図。
【図２】パチンコ機の電気的構成を示すブロック図。
【図３】先読みコマンド出力処理を示すフローチャート。
【図４】ホールド設定処理を示すフローチャート。
【図５】ホールド演出パターンの演出内容を示す図。
【図６】ホールド演出パターンの演出内容を示す図。
【図７】ホールド演出パターンの演出内容を示す図。
【図８】（ａ）〜（ｉ）は、ホールド演出の演出態様を示す図。
【図９】表示パターンを示す図。
【図１０】（ａ）〜（ｊ）は、保留変化予告の演出態様を示す図。
【図１１】（ａ）及び（ｂ）は、保留変化予告の演出態様を示す図。
【発明を実施するための形態】
【００１１】
（第１実施形態）
以下、パチンコ機の一実施形態を説明する。
図１に示すように、パチンコ機には、遊技盤１０が備えられている。パチンコ機に設けられている発射ハンドルが回動動作されることにより、遊技盤１０へ遊技球が発射される。
【００１２】
遊技盤１０の中央には、液晶ディスプレイ型の画像表示部ＧＨを有する演出表示装置１１が配設されている。また、遊技盤１０の右下方には、特別図柄表示装置１２が配設されている。また、特別図柄表示装置１２では、複数種類の図柄を変動させて表示する変動ゲームが行われる。演出表示装置１１では、特別図柄表示装置１２における変動ゲームに連動して、様々な表示演出が行われる。
【００１３】
そして、変動ゲームにおいて特別図柄表示装置１２では、複数種類の特別図柄を変動させて特別図柄を表示する。この特別図柄は、当りか否かなどの内部抽選の結果を示す報知用の図柄である。一方、変動ゲームにおいて演出表示装置１１では、複数種類の飾り図柄を複数列（本実施形態では３列）で変動させて各列毎に飾り図柄を表示する。この飾り図柄は、表示演出を多様化するために用いられる演出用の図柄である。
【００１４】
そして、特別図柄表示装置１２では、変動ゲームの開始により同時に特別図柄の変動表示が開始され、該ゲームの終了と同時に特別図柄が確定停止表示される。また、演出表示装置１１では、変動ゲームの開始により同時に飾り図柄の変動表示が開始され、該ゲーム終了前に飾り図柄が一旦停止表示され、該ゲームの終了と同時に各列の飾り図柄が確定停止表示される。
【００１５】
なお、「変動表示」とは、図柄を表示する表示装置に定める表示領域内において表示される図柄の種類が変化している状態である。一方で、「一旦停止表示」とは、前記表示領域内において図柄が再び変動表示される可能性があることを示す状態、例えば、ゆれ変動状態で表示されている状態である。また、「確定停止表示」とは、前記表示領域内において図柄が確定停止している状態（変動ゲーム終了時に表示されている図柄で停止した状態）である。
【００１６】
また、特別図柄表示装置１２と演出表示装置１１では、同時に変動ゲームが開始され、同時に終了する（すなわち、同時に特別図柄と飾り図柄が確定停止表示される）。
本実施形態において特別図柄表示装置１２には、複数種類の特別図柄の中から、当り抽選の抽選結果に対応する１つの特別図柄が選択され、その選択された特別図柄が変動ゲームの終了によって確定停止表示される。特別図柄には、大当りを認識し得る大当り図柄と、はずれを認識し得るはずれ図柄とに分類される。大当り図柄が表示された場合、遊技者には、大当り遊技が付与される。
【００１７】
また、本実施形態において演出表示装置１１には、各列毎に［１］〜［７］の７種類の数字が飾り図柄として表示される。そして、演出表示装置１１は、特別図柄表示装置１２に比較して大きい表示領域で構成されるとともに、飾り図柄は特別図柄に比較して遥かに大きく表示される。このため、遊技者は、演出表示装置１１に停止表示された図柄組み合わせから当り又ははずれを認識できる。演出表示装置１１に停止表示された全列の図柄が同一種類の場合には、その図柄組み合わせ（［２２２］［７７７］など）から大当り遊技が付与される大当りを認識できる。この大当りを認識できる図柄組み合わせが飾り図柄による大当りの図柄組み合わせ（大当り表示結果）となる。大当りの図柄組み合わせが確定停止表示されると、遊技者には、変動ゲームの終了後に大当り遊技が付与される。一方、演出表示装置１１に確定停止表示された全列の図柄が異なる種類の場合、又は１列の図柄が他の２列の図柄とは異なる種類の場合には、その図柄組み合わせ（［６７１］［１２２］［７６７］など）からはずれを認識できる。このはずれを認識できる図柄組み合わせが飾り図柄によるはずれの図柄組み合わせ（はずれ表示結果）となる。
【００１８】
また、本実施形態において、演出表示装置１１における各列は、変動ゲームが開始すると、予め定めた変動方向（縦スクロール方向）に沿って飾り図柄が変動表示されるようになっている。そして、変動ゲームが開始すると（各列の飾り図柄が変動を開始すると）、演出表示装置１１において遊技者側から見て左列（左図柄）→右列（右図柄）→中列（中図柄）の順に飾り図柄が停止表示されるようになっている。そして、停止表示された左図柄と右図柄が同一種類の場合には、その図柄組み合わせ（［１↓１］など、「↓」は変動中を示す）からリーチ状態を認識できる。リーチ状態は、複数列のうち、所定のリーチ形成列（本実施形態では左列と右列）の飾り図柄が同一種類となって停止表示され、かつ前記リーチ形成列以外の列（本実施形態では中列）の飾り図柄が変動表示されている状態である。このリーチ状態を認識できる図柄組み合わせが飾り図柄によるリーチの図柄組み合わせとなる。また、本実施形態のパチンコ機では、変動ゲームの開始後、最初に飾り図柄を停止表示させる左列が第１停止表示列になるとともに、次に飾り図柄を停止表示させる右列が第２停止表示列になり、さらに最後に飾り図柄を停止表示させる中列が第３停止表示列となる。
【００１９】
また、演出表示装置１１には、特別図柄表示装置１２の表示結果に応じた図柄組み合わせが表示される。より詳しくは、特別図柄表示装置１２に表示される特別図柄と、演出表示装置１１に表示される飾り図柄による図柄組み合わせが対応されており、変動ゲームが終了すると、特別図柄と飾り図柄による図柄組み合わせが対応して確定停止表示される。例えば、特別図柄表示装置１２に大当り図柄が確定停止表示される場合には、演出表示装置１１にも大当りの図柄組み合わせが確定停止表示される。また、特別図柄表示装置１２にはずれ図柄が停止表示される場合には、演出表示装置１１にもはずれの図柄組み合わせが確定停止表示される。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択される。
【００２０】
図１に示すように、演出表示装置１１の下方には、始動入賞口１４が配設されている。また、始動入賞口１４へ入球した遊技球を検知する始動口センサＳＥ１が設けられている。始動口センサＳＥ１は、始動入賞口１４に入球した遊技球を検知することを契機に、変動ゲームの始動条件を付与し得る。また、始動口センサＳＥ１は、始動入賞口１４に入球した遊技球を検知することを契機に、予め定めた個数（３個）の賞球としての遊技球の払出条件を付与する。
【００２１】
また、演出表示装置１１の下方（第１始動入賞口１４の下方）には、大入賞口ソレノイドＳＯＬ１の作動により開閉動作を行う大入賞口扉１７を備えた特別入賞口としての大入賞口１８が配設されている。また、大入賞口１８へ入球した遊技球を検知するカウントセンサＳＥ２が配設されている。大入賞口１８のカウントセンサＳＥ２は、大入賞口１８に入球した遊技球を検知することにより、予め定めた個数（１５個）の賞球としての遊技球の払出条件を付与する。
【００２２】
そして、大当り遊技が付与されると、付与された大当り遊技の種類に応じて大入賞口扉１７が開状態となり、大入賞口１８（の開口部）が開放され、その開放により遊技球の入球が許容される。このため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、変動ゲームにて大当り図柄が確定停止表示されることを契機に付与される。
【００２３】
図１に示すように、特別図柄表示装置１２の下部には、保留表示装置２０が配設されている。保留表示装置２０は、始動入賞口１４に入球し、始動口センサＳＥ１により検知された遊技球を、始動保留球として機内部（主制御用ＲＡＭ３０ｃ）で記憶された始動保留球の記憶数（以下、「特図始動保留記憶数」と示す）を表示する表示装置である。保留表示装置２０の表示内容によって保留されている変動ゲームの回数が報知される。特図始動保留記憶数は、始動口センサＳＥ１により遊技球が検知される毎に、所定の上限数（本実施形態では４）に達するまで１加算され、変動ゲームが開始されることにより１減算される。そして、保留表示装置２０は、複数（４個）の発光手段で構成されている。発光手段が発光している数にて変動ゲームの回数を報知する。
【００２４】
以下、本実施形態のパチンコ機に規定する大当りの種類について、説明する。
大当り遊技は、変動ゲームにて大当り図柄が停止表示されて該ゲームが終了した後、開始される。大当り遊技が開始すると、オープニング時間が設定される。そして、このオープニング時間において、最初に大当り遊技の開始を示すオープニング演出が行われる。また、オープニング時間が終了すると、大入賞口１８が開放されるラウンド遊技が、予め定めた規定ラウンド数（２回又は１６回）を上限として複数回行われる。１回のラウンド遊技中に大入賞口１８は、入球上限個数（本実施形態では８個）の遊技球が入賞するまでの間、又は規定時間が経過するまでの間、開放される。また、ラウンド遊技では、ラウンド演出が行われる。そして、すべてのラウンド遊技が終了すると、エンディング時間が設定される。また、このエンディング時間において、大当り遊技の終了を示すエンディング演出が行われる。また、エンディング時間が終了すると、大当り遊技は終了される。
【００２５】
そして、本実施形態のパチンコ機では、大当り抽選に当選した場合、複数種類の大当り遊技の中から１つの大当り遊技が決定され、その決定された大当り遊技が付与されるようになっている。そして、複数種類の大当り遊技のうち、何れの大当り遊技が付与されるかは、大当り抽選に当選した際に決定する特別図柄（大当り図柄）の種類に応じて決定されるようになっている。本実施形態において特別図柄表示装置１２に表示される特別図柄の大当り図柄は、図柄ＺＡ，図柄ＺＢの２つのグループに分類されている。
【００２６】
図柄ＺＡに分類される大当り図柄が表示されたときに付与される大当り遊技は、規定ラウンド数が「１６回」に設定されている大当り遊技である。以下の説明では、図柄ＺＡに基づく大当り遊技を「１６Ｒ大当り」と示す場合がある。図柄ＺＢに分類される大当り図柄が表示されたときに付与される大当り遊技は、規定ラウンド数が「２回」に設定されている大当り遊技である。以下の説明では、図柄ＺＢに基づく大当り遊技を「２Ｒ大当り」と示す場合がある。
【００２７】
次に、図２に基づき、パチンコ機の制御構成について説明する。
パチンコ機の機裏側には、パチンコ機全体を制御する主制御基板３０が装着されている。主制御基板３０は、パチンコ機全体を制御するための各種処理を実行し、該処理結果に応じて遊技を制御するための各種の制御信号（制御コマンド）を演算処理し、該制御信号（制御コマンド）を出力する。また、機裏側には、演出制御基板３１が装着されている。演出制御基板３１は、主制御基板３０が出力した制御信号（制御コマンド）に基づき、演出表示装置１１の表示態様（図柄、背景、文字などの表示画像など）を制御する。
【００２８】
以下、主制御基板３０及び演出制御基板３１について、その具体的な構成を説明する。
前記主制御基板３０には、主制御用ＣＰＵ３０ａが備えられている。該主制御用ＣＰＵ３０ａには、主制御用ＲＯＭ３０ｂ及び主制御用ＲＡＭ３０ｃが接続されている。主制御用ＣＰＵ３０ａには、始動口センサＳＥ１と、カウントセンサＳＥ２が接続されている。また、主制御用ＣＰＵ３０ａには、特別図柄表示装置１２と、保留表示装置２０が接続されている。また、主制御用ＣＰＵ３０ａには、大入賞口ソレノイドＳＯＬ１が接続されている。また、主制御基板３０には、ハードウェア乱数を生成する乱数生成器３０ｄが設けられており、主制御用ＣＰＵ３０ａに接続されている。
【００２９】
この乱数生成器３０ｄでは、内部クロックの１周期毎に１更新されるハードウェア乱数が生成される。なお、本実施形態のパチンコ機では内部クロックが１０ＭＨｚに設定されているため、０．１マイクロ秒毎にハードウェア乱数の値が１更新される。また、ハードウェア乱数の取り得る数値は、０〜６５５３５までの全部で６５５３６通りの整数となっている。そして、本実施形態のパチンコ機において、ハードウェア乱数は当り判定用乱数として使用される。当り判定用乱数は、当り抽選（大当り判定）に用いる乱数である。
【００３０】
また、主制御用ＲＡＭ３０ｃには、所定の周期（ハードウェア乱数の値が更新される時間よりも長い時間（例えば、４ｍ秒））毎に主制御用ＣＰＵ３０ａが行う乱数更新処理によって、値が更新されるソフトウェア乱数が記憶されている。なお、本実施形態のパチンコ機において主制御用ＲＡＭ３０ｃには、第１のソフトウェア乱数、第２のソフトウェア乱数、第３のソフトウェア乱数が記憶されており、各ソフトウェア乱数は取り得る数値の範囲が異なる。そして、本実施形態のパチンコ機において、第１のソフトウェア乱数は特別図柄振分用乱数、第２のソフトウェア乱数はリーチ判定用乱数、第３のソフトウェア乱数は変動パターン振分用乱数としてそれぞれ使用される。
【００３１】
特別図柄振分用乱数（大当り種別用乱数）は、特別図柄表示装置１２に確定停止表示させる特別図柄の種類（大当りの種類）を決定する際に用いる乱数である。また、リーチ判定用乱数は、リーチ演出を行うか否かを決定するためのリーチ判定（リーチ抽選）に用いる乱数である。また、変動パターン振分用乱数は、変動パターンを決定する際に用いる乱数である。
【００３２】
また、主制御用ＲＯＭ３０ｂには、パチンコ機全体を制御するためのメイン制御プログラムが記憶されている。また、主制御用ＲＯＭ３０ｂには、複数種類の変動パターンが記憶されている。変動パターンは、図柄（特別図柄及び飾り図柄）が変動を開始（変動ゲームが開始）してから図柄が停止表示（変動ゲームが終了）される迄の間の遊技演出（表示演出等）のベースとなるパターンを示すものである。すなわち、変動パターンは、特別図柄が変動開始してから特別図柄が確定停止表示されるまでの間の変動ゲームの演出内容（大当りの有無、リーチ演出の有無、当り遊技の種類など）及び演出時間（変動時間）を特定することができる。
【００３３】
変動パターンには、大当り演出を特定する大当り変動パターンがある。また、変動パターンには、リーチを形成し、リーチ演出が行われた後に最終的にはずれとするはずれリーチ演出を特定するはずれリーチ変動パターンと、リーチを形成せずにはずれとするはずれ演出を特定するはずれ変動パターンがある。なお、大当り変動パターンと、リーチ変動パターンと、はずれ変動パターンには、それぞれ複数種類の変動パターンが用意されている。
【００３４】
大当り演出は、変動ゲームが、リーチ演出を経て、最終的に大当りの図柄組み合わせを確定停止表示させるように展開される演出である。はずれリーチ演出は、変動ゲームが、リーチ演出を経て、最終的にはずれの図柄組み合わせを確定停止表示させるように展開される演出である。はずれ演出は、変動ゲームが、リーチ演出を経ることなく最終的にはずれの図柄組み合わせを確定停止表示させるように展開される演出である。リーチ演出は、演出表示装置１１の飾り図柄による変動ゲームにおいて、リーチの図柄組み合わせが形成されてから、大当りの図柄組み合わせ、又ははずれの図柄組み合わせが導出される迄の間に行われる演出である。
【００３５】
また、主制御用ＲＡＭ３０ｃには、パチンコ機の動作中に適宜書き換えられる各種情報（乱数値、タイマ値、フラグなど）が記憶（設定）される。また、主制御用ＲＯＭ３０ｂには、各種の判定値が記憶されている。例えば、主制御用ＲＯＭ３０ｂには、大当り判定値が記憶されている。大当り判定値は、大当り抽選で用いる判定値であり、当り判定用乱数（ハードウェア乱数）の取り得る数値の中から定められている。また、主制御用ＲＯＭ３０ｂには、リーチ判定値が記憶されている。リーチ判定値は、リーチ抽選で用いる判定値であり、リーチ判定用乱数（第２のソフトウェア乱数）の取り得る数値の中から定められている。
【００３６】
次に、図２に基づき演出制御基板３１について説明する。
演出制御基板３１には、演出制御用ＣＰＵ３１ａが備えられている。該演出制御用ＣＰＵ３１ａには、演出制御用ＲＯＭ３１ｂ及び演出制御用ＲＡＭ３１ｃが接続されている。また、演出制御用ＣＰＵ３１ａは、各種乱数の値を所定の周期毎に更新し、更新後の値を演出制御用ＲＡＭ３１ｃの設定領域に記憶（設定）して更新前の値を書き換えている。また、演出制御用ＲＯＭ３１ｂには、遊技演出を実行させるための演出制御プログラムが記憶されている。演出制御用ＣＰＵ３１ａは、各種制御コマンドを入力すると、当該演出制御プログラムに基づき各種制御を実行する。また、演出制御用ＲＯＭ３１ｂには、各種の画像データ（図柄、各種背景画像、文字、キャラクタなどの画像データ）が記憶されている。また、演出制御用ＣＰＵ３１ａには、演出表示装置１１が接続されている。
【００３７】
次に、主制御用ＣＰＵ３０ａが、メイン制御プログラムに基づき実行する特別図柄入力処理や特別図柄開始処理などの各種処理について説明する。最初に、特別図柄入力処理を説明する。特別図柄入力処理は、主制御用ＣＰＵ３０ａにより所定周期毎に実行されるようになっている。
【００３８】
まず、主制御用ＣＰＵ３０ａは、始動入賞口１４に遊技球が入球したか否かを判定する。すなわち、主制御用ＣＰＵ３０ａは、始動口センサＳＥ１が遊技球を検知した時に出力する第１検知信号を入力したか否かを判定する。この判定結果が否定の場合（第１検知信号を入力しなかったと判定した場合）、主制御用ＣＰＵ３０ａは、特別図柄入力処理を終了する。一方、第１検知信号を入力したと判定した場合、主制御用ＣＰＵ３０ａは、主制御用ＲＡＭ３０ｃに記憶されている特図始動保留記憶数が上限数の４未満であるか否かを判定する。特図始動保留記憶数が「４」である場合、主制御用ＣＰＵ３０ａは、特別図柄入力処理を終了する。
【００３９】
特図始動保留記憶数が上限数「４」未満である場合、主制御用ＣＰＵ３０ａは、特図始動保留記憶数を１加算し、特図始動保留記憶数を書き換える。このとき、主制御用ＣＰＵ３０ａは、１加算後の特図始動保留記憶数を表すように保留表示装置２０の表示内容を制御する。続いて、主制御用ＣＰＵ３０ａは、主制御用ＲＡＭ３０ｃ及び乱数生成器３０ｄから各種乱数の値を取得し、主制御用ＲＡＭ３０ｃの所定の記憶領域（特図始動保留記憶数に対応する記憶領域）に記憶する。このとき主制御用ＣＰＵ３０ａは、乱数生成器３０ｄから当り判定用乱数の値を取得し、主制御用ＲＡＭ３０ｃから特別図柄振分用乱数、リーチ判定用乱数及び変動パターン振分用乱数の値を取得する。また、主制御用ＣＰＵ３０ａは、書き換え後の特図始動保留記憶数を示す保留指定コマンドを出力する。そして、特別図柄入力処理を終了する。
【００４０】
次に、特別図柄開始処理について説明する。主制御用ＣＰＵ３０ａは、特別図柄開始処理を所定周期毎に実行するようになっている。
主制御用ＣＰＵ３０ａは、まず、図柄（特別図柄及び飾り図柄）が変動表示中であるか否か、及び大当り遊技中であるか否か判定する。この判定結果が肯定の場合（変動ゲーム中、又は大当り遊技中である場合）、主制御用ＣＰＵ３０ａは、特別図柄開始処理を終了する。一方、変動ゲーム中でなく、且つ、大当り遊技中でもない場合、主制御用ＣＰＵ３０ａは、特図始動保留記憶数を読み出し、特図始動保留記憶数が「０」よりも大きいか否か判定する。この判定結果が否定の場合、主制御用ＣＰＵ３０ａは、特別図柄開始処理を終了する。
【００４１】
特図始動保留記憶数が「１」以上である場合、主制御用ＣＰＵ３０ａは、特図始動保留記憶数に対応付けられて主制御用ＲＡＭ３０ｃの所定の記憶領域に記憶されている当り判定用乱数、リーチ判定用乱数、変動パターン振分用乱数、及び特別図柄振分用乱数の値を取得し、特図始動保留記憶数の数を「１」減算する。
【００４２】
より詳しくは、主制御用ＣＰＵ３０ａは、最も早く記憶した特図始動保留記憶数「１」に対応付けられた記憶領域に記憶されている各種乱数の値を読み出す。また、主制御用ＣＰＵ３０ａは、乱数の値を読み出した後、特図始動保留記憶数「２」に対応付けられた記憶領域に記憶されている各種乱数の値を特図始動保留記憶数「１」に対応付けられた記憶領域に記憶する。同様に、主制御用ＣＰＵ３０ａは、特図始動保留記憶数「３」に対応付けられた記憶領域に記憶されている各種乱数の値を特図始動保留記憶数「２」に対応付けられた記憶領域に記憶する。同様に、主制御用ＣＰＵ３０ａは、特図始動保留記憶数「４」に対応付けられた記憶領域に記憶されている各種乱数の値を特図始動保留記憶数「３」に対応付けられた記憶領域に記憶する。また、主制御用ＣＰＵ３０ａは、特図始動保留記憶数「４」に対応付けられた記憶領域に記憶されている各種乱数の値を消去する。また、主制御用ＣＰＵ３０ａは、特図始動保留記憶数を１減算した際、１減算後の特図始動保留記憶数を表すように保留表示装置２０の表示内容を変更させる。また、主制御用ＣＰＵ３０ａは、更新後の特図始動保留記憶数を示す保留指定コマンドを出力する。
【００４３】
主制御用ＣＰＵ３０ａは、取得した当り判定用乱数の値が主制御用ＲＯＭ３０ｂに記憶されている大当り判定値と一致するか否かを判定して大当り判定（大当り抽選）を行う。大当り判定の判定結果が肯定の場合（大当りの場合）、主制御用ＣＰＵ３０ａは、大当りの変動であることを示す大当りフラグに［１］を設定する。そして、主制御用ＣＰＵ３０ａは、取得した特別図柄振分用乱数の値に基づき、大当り遊技の種類を決定すると共に、特別図柄による大当り図柄の中から特別図柄表示装置１２にて確定停止表示される最終停止図柄を決定する。その後、主制御用ＣＰＵ３０ａは、取得した変動パターン振分用乱数に基づき、大当り変動パターンの中から変動パターンを決定する。
【００４４】
変動パターン及び最終停止図柄を決定した主制御用ＣＰＵ３０ａは、演出制御基板３１（演出制御用ＣＰＵ３１ａ）に対し、所定の制御コマンドを所定のタイミングで出力する等、変動ゲームに関する各種処理を実行する。具体的に言えば、主制御用ＣＰＵ３０ａは、変動パターンを指定すると共に図柄変動の開始を指示する変動パターン指定コマンドを出力する。また、主制御用ＣＰＵ３０ａは、特別図柄を変動開始させるように特別図柄表示装置１２の表示内容を制御する。また、主制御用ＣＰＵ３０ａは、変動ゲームの演出時間の計測を開始する。また、主制御用ＣＰＵ３０ａは、最終停止図柄を指定するための特別図柄指定コマンドを出力する。そして、主制御用ＣＰＵ３０ａは、特別図柄開始処理を終了する。その後、特別図柄開始処理とは別の処理で、主制御用ＣＰＵ３０ａは、前記指定した変動パターンに定められている演出時間に基づいて、決定した最終停止図柄を表示させるように特別図柄表示装置１２の表示内容を制御する。また、主制御用ＣＰＵ３０ａは、前記指定した変動パターンに定められている演出時間に基づいて、飾り図柄の変動停止を指示し、図柄組み合わせを確定停止表示させるための全図柄停止コマンドを出力する。
【００４５】
一方、大当り判定の判定結果が否定の場合（大当りでない場合）、主制御用ＣＰＵ３０ａは、リーチ演出を実行させるか否かを判定するリーチ判定を行う。本実施形態では、主制御用ＣＰＵ３０ａは、主制御用ＲＡＭ３０ｃから取得したリーチ判定用乱数が、リーチ判定値に一致するか否かにより当選判定を行う。
【００４６】
そして、リーチ判定の判定結果が肯定である場合、主制御用ＣＰＵ３０ａは、はずれ図柄を特別図柄表示装置１２にて確定停止表示される最終停止図柄として決定する。次に、主制御用ＣＰＵ３０ａは、取得した変動パターン振分用乱数に基づき、はずれリーチ変動パターンの中から変動パターンを決定する。
【００４７】
そして、変動パターン及び最終停止図柄を決定した主制御用ＣＰＵ３０ａは、前述同様、演出制御基板３１（演出制御用ＣＰＵ３１ａ）に対し、所定の制御コマンドを所定のタイミングで出力する等、変動ゲームに関する各種処理を実行する。その後、主制御用ＣＰＵ３０ａは、特別図柄開始処理を終了する。
【００４８】
一方、リーチ判定の判定結果が否定の場合（リーチ演出を行わない場合）、主制御用ＣＰＵ３０ａは、はずれ図柄を特別図柄表示装置１２にて確定停止表示される最終停止図柄として決定する。次に、主制御用ＣＰＵ３０ａは、取得した変動パターン振分用乱数に基づき、はずれ変動パターンの中から変動パターンを決定する。
【００４９】
そして、変動パターン及び最終停止図柄を決定した主制御用ＣＰＵ３０ａは、前述同様、演出制御基板３１（演出制御用ＣＰＵ３１ａ）に対し、所定の制御コマンドを所定のタイミングで出力する等、変動ゲームに関する各種処理を実行する。その後、主制御用ＣＰＵ３０ａは、特別図柄開始処理を終了する。
【００５０】
そして、主制御用ＣＰＵ３０ａは、大当りを決定した場合（大当りフラグに［１］が設定された場合）、決定した変動パターンに基づく変動ゲームの終了後、最終停止図柄に基づき特定された種類の大当り遊技の制御を開始し、演出制御基板３１（演出制御用ＣＰＵ３１ａ）に対し、所定の制御コマンドを所定のタイミングで出力する。
【００５１】
具体的には、主制御用ＣＰＵ３０ａは、オープニング時間の設定を開始する。また、主制御用ＣＰＵ３０ａは、オープニング時間が開始したことを指示するオープニングコマンドを演出制御基板３１に出力する。次に、主制御用ＣＰＵ３０ａは、オープニング時間の終了後、各ラウンド遊技を制御する。すなわち、主制御用ＣＰＵ３０ａは、各ラウンド遊技の開始時にラウンド遊技の開始を指示するラウンドコマンドを演出制御基板３１に出力する。また、主制御用ＣＰＵ３０ａは、ラウンド遊技毎に、大入賞口１８の開放及び閉鎖を制御する。すなわち、主制御用ＣＰＵ３０ａは、入球上限個数（本実施形態では８個）の遊技球が入賞するまでの間、又はラウンド遊技毎に予め決められた規定時間が経過するまでの間、大入賞口１８を開放する。
【００５２】
そして、主制御用ＣＰＵ３０ａは、大入賞口１８を閉鎖した場合には、ラウンド遊技毎に予め決められたインターバル時間を経過するまで、閉鎖を維持し、その後、ラウンド遊技を終了する。これらの一連の制御を、規定ラウンド数に達するまで実行する。なお、大入賞口１８を開放させる際には、主制御用ＣＰＵ３０ａは、演出制御基板３１に対して大入賞口１８の開放を示す開放コマンドを出力する。また、大入賞口１８を閉鎖させる際には、主制御用ＣＰＵ３０ａは、演出制御基板３１に対して大入賞口１８の閉鎖を示す閉鎖コマンドを出力する。
【００５３】
規定ラウンド数のラウンド遊技が終了すると、主制御用ＣＰＵ３０ａは、エンディング時間の設定を開始する。また、主制御用ＣＰＵ３０ａは、エンディング時間が開始したことを指示するエンディングコマンドを演出制御基板３１に出力する。そして、エンディング時間を経過すると、主制御用ＣＰＵ３０ａは、大当りフラグに［０］を設定（クリア）し、大当り遊技を終了させる。
【００５４】
次に、演出制御基板３１の演出制御用ＣＰＵ３１ａが演出制御プログラムに基づき実行する各種処理について説明する。主制御用ＣＰＵ３０ａから所定の制御コマンドを所定のタイミングで入力すると、演出制御用ＣＰＵ３１ａは、それに応じて各種処理を実行する。
【００５５】
例えば、演出制御用ＣＰＵ３１ａは、変動パターン指定コマンドを入力すると、当該変動パターン指定コマンドにより指定された変動パターンに基づき、変動ゲームを実行させるように演出表示装置１１を制御する。また、演出制御用ＣＰＵ３１ａは、変動パターン指定コマンド及び特別図柄指定コマンドを入力すると、当該変動パターン指定コマンドにより指定された変動パターン及び特別図柄指定コマンドにより指定された最終停止図柄に基づき、演出表示装置１１に確定停止表示させる飾り図柄による図柄組み合わせを決定する。
【００５６】
すなわち、演出制御用ＣＰＵ３１ａは、特別図柄指定コマンドにより指定された最終停止図柄が大当り図柄ＺＡである場合には、大当りを示す図柄組み合わせ［１１１］〜［７７７］の中から大当りの図柄組み合わせを決定する。また、演出制御用ＣＰＵ３１ａは、特別図柄指定コマンドにより指定された最終停止図柄が大当り図柄ＺＢである場合には、大当りを示す図柄組み合わせ［１１１］〜［６６６］の中から決定する。このため、大当りを示す図柄組み合わせ［７７７］が表示された場合、遊技者は、大当り遊技が付与されることを認識することができると共に、図柄の種類から１６Ｒ大当りが付与されることを特定できる。一方、大当りを示す図柄組み合わせ［１１１］〜［６６６］が表示された場合、遊技者は、２Ｒ大当りと１６Ｒ大当りのいずれが付与されるか特定できない。
【００５７】
また、演出制御用ＣＰＵ３１ａは、指定された最終停止図柄が、はずれ図柄の場合であって、はずれリーチ変動パターンが指定された場合、はずれリーチの図柄組み合わせを決定する。また、演出制御用ＣＰＵ３１ａは、指定された最終停止図柄が、はずれ図柄の場合であって、はずれ変動パターンが指定された場合、はずれの図柄組み合わせを決定する。そして、演出制御用ＣＰＵ３１ａは、決定した飾り図柄による図柄組み合わせを全図柄停止コマンドの入力に応じて確定停止表示させる。
【００５８】
また、本実施形態では、保留記憶数に基づく変動ゲーム（保留されている変動ゲーム）において、所定の演出内容（大当り演出又ははずれリーチ演出）の変動ゲームが含まれているか否かを先読み可能に構成されている。以下、保留記憶数に基づく変動ゲームに基づく大当り遊技の有無に係わる先読みコマンド出力処理について説明する。先読みコマンド出力処理は、主制御用ＣＰＵ３０ａにより実行される。また、先読みコマンド出力処理は、特別図柄入力処理が終了した後に、続けて実行される。
【００５９】
図３には、先読みコマンド出力処理のフローチャートを示す。主制御用ＣＰＵ３０ａは、先読みコマンド出力処理を実行すると、まず、特別図柄入力処理で取得した当り判定用乱数の値（保留記憶数に対応付けられて記憶される当り判定用乱数）と、大当り判定値を比較し、両値が一致するか否かを判定する（ステップＳ５０）。この判定結果が肯定の場合、主制御用ＣＰＵ３０ａは、検知した始動保留球に基づく変動ゲームが、大当りとなることを事前に認識することになる。そして、主制御用ＣＰＵ３０ａは、特別図柄入力処理で取得した特別図柄振分用乱数の値に基づき、大当り遊技の種類を特定する（ステップＳ５１）
そして、主制御用ＣＰＵ３０ａは、特別図柄入力処理で更新した保留記憶数と共に、演出内容が大当り演出であること、及びステップＳ５１で特定した大当り遊技の種類を指定する先読みコマンドを出力し（ステップＳ５２）、先読みコマンド出力処理を終了する。なお、先読みコマンドは、特別図柄入力処理で更新した保留記憶数や、図柄変動ゲームの演出内容（大当り演出の有無や、リーチ演出の有無）、大当りとなる場合には大当り遊技の種類を指定する情報である。
【００６０】
ステップＳ５０の判定結果が否定である場合（大当りでない場合）、主制御用ＣＰＵ３０ａは、特別図柄入力処理で取得したリーチ判定用乱数の値（保留記憶数に対応付けられて記憶されるリーチ判定用乱数）と、リーチ判定値を比較し、両値が一致するか否かを判定する（ステップＳ５３）。この判定結果が肯定の場合、主制御用ＣＰＵ３０ａは、検知した始動保留球に基づく変動ゲームにて、リーチ演出を経てはずれとなることを事前に認識することになる。そして、主制御用ＣＰＵ３０ａは、特別図柄入力処理で更新した保留記憶数と共に、演出内容がはずれリーチ演出であることを指定する先読みコマンドを出力し（ステップＳ５４）、先読みコマンド出力処理を終了する。
【００６１】
ステップＳ５３の判定結果が否定である場合（リーチでない場合）、主制御用ＣＰＵ３０ａは、リーチ演出が行われないはずれの変動ゲームであると確認する。そして、主制御用ＣＰＵ３０ａは、検知した始動保留球に基づく変動ゲームにて、はずれ通常演出が実行されることを事前に認識することになる。そして、主制御用ＣＰＵ３０ａは、特別図柄入力処理で更新した保留記憶数と共に、演出内容がはずれ通常演出（リーチなしのはずれ）であることを指定する先読みコマンドを出力し（ステップＳ５５）、先読みコマンド出力処理を終了する。
【００６２】
なお、演出制御用ＣＰＵ３１ａは、先読みコマンドを入力すると、当該先読みコマンドにより指定された保留記憶数に対応付けて先読みコマンドを演出制御用ＲＡＭ３１ｃに記憶する。そして、演出制御用ＣＰＵ３１ａは、変動ゲームが実行される毎に、先読みコマンドに対応付けられていた（演出制御用ＲＡＭ３１ｃに記憶されている）保留記憶数を更新する（１減算する）。これにより、保留されている変動ゲームの演出内容を判定することができ、また、大当り又はリーチ演出が実行される場合には、そのタイミングを特定することができる。
【００６３】
そして、演出制御用ＣＰＵ３１ａは、先読みコマンドを入力する毎に、先読み演出の一種であるホールド演出（停止維持演出）の実行可否及び演出内容を決定するホールド設定処理を実行する。
【００６４】
図４に基づき、ホールド設定処理について、詳しく説明する。
演出制御用ＣＰＵ３１ａは、先読みコマンドを入力すると、ホールド演出中であるか否かを判定する（ステップＳ１０１）。ホールド演出中であるか否かは、例えば、ホールド演出中であることを示す値が演出制御用ＲＡＭ３１ｃに記憶されるホールド演出フラグに設定されているか否かを判定することにより、判定する。この判定結果が肯定の場合（ホールド演出中）、演出制御用ＣＰＵ３１ａは、そのままホールド設定処理を終了する。
【００６５】
ステップＳ１０１の判定結果が否定の場合、演出制御用ＣＰＵ３１ａは、入力した先読みコマンドにより指定された保留記憶数が「２」であるか判定する（ステップＳ１０２）。この判定結果が肯定の場合、演出制御用ＣＰＵ３１ａは、次に、保留記憶数「１」に対応付けられて記憶されている先読みコマンドを読み出し、読み出した先読みコマンドと入力した先読みコマンドのうちいずれもはずれ通常演出を指定しているか判定する（ステップＳ１０３）。すなわち、演出制御用ＣＰＵ３１ａは、保留記憶数「１」及び保留記憶数「２」に基づく変動ゲームがいずれもリーチ演出なしではずれとなるか否かについて判定する。
【００６６】
ステップＳ１０３の判定結果が肯定の場合、演出制御用ＣＰＵ３１ａは、ホールド演出を実行させるか否かを抽選するホールド抽選を実行する（ステップＳ１０４）。この判定結果が肯定の場合、演出制御用ＣＰＵ３１ａは、ホールド演出を実行させると決定し、ホールド演出の演出内容を特定するホールド演出パターンを、保留記憶数「２」であるときに選択されるホールド演出パターンの中から選択する（ステップＳ１０５）。なお、ホールド演出パターンの詳しい内容及び選択方法については、後述する。また、ステップＳ１０５において、ホールド演出の実行を決定した場合、演出制御用ＣＰＵ３１ａは、ホールド演出の実行中であることを示す値をホールド演出フラグに設定すると共に、ホールド演出を実行させるゲーム数を設定する。ホールド演出を実行させる先読みゲーム数は、入力された先読みコマンドにより指定された保留記憶数に応じて設定される。そして、演出制御用ＣＰＵ３１ａは、ホールド設定処理を終了する。
【００６７】
一方、ステップＳ１０２の判定結果が否定の場合、演出制御用ＣＰＵ３１ａは、入力した先読みコマンドにより指定された保留記憶数が「３」であるか判定する（ステップＳ１０６）。この判定結果が肯定の場合、演出制御用ＣＰＵ３１ａは、次に、保留記憶数「１」及び保留記憶数「２」に対応付けられて記憶されている先読みコマンドをそれぞれ読み出し、当該先読みコマンドのうちいずれもはずれ通常演出を指定しているか判定する（ステップＳ１０７）。すなわち、演出制御用ＣＰＵ３１ａは、保留記憶数「１」及び保留記憶数「２」に基づく各変動ゲームがリーチ演出なしではずれとなるか否かについて判定する。
【００６８】
ステップＳ１０７の判定結果が肯定の場合、演出制御用ＣＰＵ３１ａは、ホールド演出を実行させるか否かを抽選するホールド抽選を実行する（ステップＳ１０８）。なお、ステップＳ１０８において、演出制御用ＣＰＵ３１ａは、入力した先読みコマンドにより保留記憶数「３」及びはずれ通常演出が指定された場合には、入力した先読みコマンドにより保留記憶数「２」及びはずれ通常演出が指定された場合よりも低確率で当選させる。
【００６９】
ステップＳ１０８の当選結果が肯定の場合、演出制御用ＣＰＵ３１ａは、ホールド演出を実行させると決定し、ホールド演出の演出内容を特定するホールド演出パターンを、保留記憶数「３」であるときに選択されるホールド演出パターンの中から選択する（ステップＳ１０９）。また、ステップＳ１０９において、ホールド演出の実行を決定した場合、演出制御用ＣＰＵ３１ａは、ホールド演出の実行中であることを示す値をホールド演出フラグに設定すると共に、ホールド演出を実行させる先読みゲーム数を設定する。そして、演出制御用ＣＰＵ３１ａは、ホールド設定処理を終了する。
【００７０】
そして、ステップＳ１０６の判定結果が否定の場合、演出制御用ＣＰＵ３１ａは、入力した先読みコマンドにより指定された保留記憶数が「４」であるか判定する（ステップＳ１１０）。この判定結果が肯定の場合、演出制御用ＣＰＵ３１ａは、次に、保留記憶数「１」〜保留記憶数「３」に対応付けられて記憶されている先読みコマンドをそれぞれ読み出し、当該先読みコマンドのうちいずれもはずれ通常演出を指定しているか判定する（ステップＳ１１１）。すなわち、演出制御用ＣＰＵ３１ａは、保留記憶数「１」〜保留記憶数「３」に基づく各変動ゲームがリーチ演出なしではずれとなるか否かについて判定する。
【００７１】
ステップＳ１１１の判定結果が肯定の場合、演出制御用ＣＰＵ３１ａは、ホールド演出を実行させるか否かを抽選するホールド抽選を実行する（ステップＳ１１２）。
なお、ステップＳ１１２において、演出制御用ＣＰＵ３１ａは、入力した先読みコマンドにより保留記憶数「４」及び大当り演出が指定された場合には、保留記憶数「３」及び大当り演出が指定された場合よりも高確率で当選させる。また、ステップＳ１１２において、演出制御用ＣＰＵ３１ａは、入力した先読みコマンドにより保留記憶数「４」及びはずれリーチ演出が指定された場合には、保留記憶数「３」及びはずれリーチ演出が指定された場合よりも低確率で当選させる。また、ステップＳ１１２において、演出制御用ＣＰＵ３１ａは、入力した先読みコマンドにより保留記憶数「４」及びはずれ通常演出が指定された場合には、保留記憶数「３」又は「２」及びはずれ通常演出が指定された場合よりも低確率で当選させる。これにより、ホールド演出が実行される変動ゲーム数が多い場合には、大当り期待度が高いと認識させることができる。
【００７２】
ステップＳ１１２の当選結果が肯定の場合、演出制御用ＣＰＵ３１ａは、ホールド演出を実行させると決定し、ホールド演出の演出内容を特定するホールド演出パターンを、保留記憶数「４」であるときに選択されるホールド演出パターンの中から選択する（ステップＳ１１３）。また、ステップＳ１１３において、ホールド演出の実行を決定した場合、演出制御用ＣＰＵ３１ａは、ホールド演出の実行中であることを示す値をホールド演出フラグに設定すると共に、ホールド演出を実行させる先読みゲーム数を設定する。そして、演出制御用ＣＰＵ３１ａは、ホールド設定処理を終了する。
【００７３】
なお、ステップＳ１０３、ステップＳ１０４、ステップＳ１０７、ステップＳ１０８、ステップＳ１１０、ステップＳ１１１又はステップＳ１１２の判定結果が否定の場合、演出制御用ＣＰＵ３１ａは、ホールド設定処理を終了する。
【００７４】
ここでホールド演出パターンについて説明する。まず、保留記憶数「２」であるときにホールド演出が実行される場合に選択可能なホールド演出パターンについて説明する。
図５に示すように、保留記憶数「２」であるときにホールド演出が実行される場合に選択可能なホールド演出パターンとして、ホールド演出パターンＥＰ２１が設定されている。ホールド演出パターンＥＰ２１に基づき、ホールド演出が実行された場合、１回目の変動ゲームにおいて、左図柄が停止表示された後、左図柄の停止表示の維持が開始される。そして、２回目の変動ゲームにおいて、リーチ演出が行われることなくはずれとなり、左図柄の停止表示の維持が解除される。なお、図柄の停止表示が維持される場合には、その旨が理解できるように停止表示の維持がされている図柄にエフェクト画像が装飾されたり、音声で維持されていることを報知したりするようになっている。本実施形態では、「ホールド」と文字が表示されるようになっている。また、以下では、○図柄の停止表示が維持されることを、単に○図柄がホールドされると示す場合がある。なお、ホールド演出が実行される場合において、ホールド演出の対象となる変動ゲーム（最後の変動ゲーム）以外の変動ゲームでは、はずれ通常演出の変動パターンに基づき、変動ゲームが実行されるようになっている。
【００７５】
次に、保留記憶数「３」であるときにホールド演出が実行される場合に選択可能なホールド演出パターンについて説明する。
図６に示すように、保留記憶数「３」であるときにホールド演出が実行される場合に選択可能なホールド演出パターンとして、ホールド演出パターンＥＰ３１〜ＥＰ３５が設定されている。ホールド演出パターンＥＰ３１に基づくホールド演出では、１ゲーム目で左図柄のホールドが開始され、２ゲーム目においても左図柄がそのままホールドされる。そして、３ゲーム目で入力した変動パターンに応じた内容の演出（はずれ通常演出）が実行されて、ホールド演出が終了される（その際ホールドが解除される）。
【００７６】
また、ホールド演出パターンＥＰ３２に基づくホールド演出では、１ゲーム目で左図柄のホールドが開始され、２ゲーム目において右図柄のホールドが開始されて、左図柄及び右図柄がホールドされる。そして、３ゲーム目で入力した変動パターンに応じた内容の演出（リーチ演出又は大当り演出）が実行され、ホールド演出が終了される。同様に、ホールド演出パターンＥＰ３３に基づくホールド演出では、１ゲーム目で右図柄のホールドが開始され、２ゲーム目において左図柄のホールドが開始されて、左図柄及び右図柄がホールドされる。そして、３ゲーム目で入力した変動パターンに応じた内容の演出（リーチ演出又は大当り演出）が実行され、ホールド演出が終了される（その際ホールドが解除される）。
【００７７】
そして、ホールド演出パターンＥＰ３４に基づくホールド演出では、１ゲーム目で左図柄のホールドが開始され、２ゲーム目において中図柄のホールドが開始されて、左図柄及び中図柄がホールドされる。そして、３ゲーム目で入力した変動パターンに応じた内容の演出（大当り演出又ははずれ通常演出）が実行されてホールド演出が終了される（その際ホールドが解除される）。同様に、ホールド演出パターンＥＰ３５に基づくホールド演出では、１ゲーム目で右図柄のホールドが開始され、２ゲーム目において中図柄のホールドが開始されて、右図柄及び中図柄がホールドされる。そして、３ゲーム目で入力した変動パターンに応じた内容の演出（大当り演出又ははずれ通常演出）が実行されてホールド演出が終了される（その際ホールドが解除される）。
【００７８】
次に、保留記憶数「４」であるときにホールド演出が実行される場合に選択可能なホールド演出パターンについて説明する。
図７に示すように、保留記憶数「４」であるときにホールド演出が実行される場合に選択可能なホールド演出パターンとして、ホールド演出パターンＥＰ４１〜ＥＰ４４が設定されている。
【００７９】
ホールド演出パターンＥＰ４１に基づくホールド演出では、１ゲーム目で左図柄のホールドが開始され、２ゲーム目においても左図柄がそのままホールドされる。そして、３ゲーム目で、右図柄のホールドが開始されて、左図柄及び右図柄がホールドされ、４ゲーム目で入力した変動パターンに応じた内容の演出（リーチ演出又は大当り演出）が実行されてホールド演出が終了される（その際ホールドが解除される）。同様に、ホールド演出パターンＥＰ４２に基づくホールド演出では、１ゲーム目で右図柄のホールドが開始され、２ゲーム目においても右図柄がそのままホールドされる。そして、３ゲーム目で、左図柄のホールドが開始されて、左図柄及び右図柄がホールドされ、４ゲーム目で入力した変動パターンに応じた内容の演出（リーチ演出又は大当り演出）が実行されてホールド演出が終了される（その際ホールドが解除される）。
【００８０】
そして、ホールド演出パターンＥＰ４３に基づくホールド演出では、１ゲーム目で左図柄のホールドが開始され、２ゲーム目においても左図柄がそのままホールドされる。そして、３ゲーム目で、中図柄のホールドが開始されて、左図柄及び中図柄がホールドされ、４ゲーム目で入力した変動パターンに応じた内容の演出（大当り演出又ははずれ通常演出）が実行されてホールド演出が終了される（その際ホールドが解除される）。同様に、ホールド演出パターンＥＰ４４に基づくホールド演出では、１ゲーム目で右図柄のホールドが開始され、２ゲーム目においても右図柄がそのままホールドされる。そして、３ゲーム目で、中図柄のホールドが開始されて、右図柄及び中図柄がホールドされ、４ゲーム目で入力した変動パターンに応じた内容の演出（大当り演出又ははずれ通常演出）が実行されてホールド演出が終了される（その際ホールドが解除される）。
【００８１】
次に、ホールド演出パターンの選択方法について説明する。
まず、ホールド設定処理のステップＳ１０５における選択方法について説明する。演出制御用ＣＰＵ３１ａは、ステップＳ１０５において、ホールド演出パターンＥＰ２１を選択する。
【００８２】
次に、ホールド設定処理のステップＳ１０９における選択方法について説明する。ステップＳ１０９において、演出制御用ＣＰＵ３１ａは、入力した先読みコマンドにより指定される内容が大当り演出である場合には、ホールド演出パターンＥＰ３２〜ＥＰ３５の中から抽選で選択する。その際、演出制御用ＣＰＵ３１ａは、ホールド演出パターンＥＰ３５の選択確率を１番高くし、ホールド演出パターンＥＰ３４の選択確率を２番目に高くし、ホールド演出パターンＥＰ３３の選択確率を３番目に高くし、ホールド演出パターンＥＰ３２の選択確率を１番低くする。
【００８３】
また、ステップＳ１０９において、演出制御用ＣＰＵ３１ａは、入力した先読みコマンドにより指定される内容がはずれリーチ演出である場合には、ホールド演出パターンＥＰ３２，ＥＰ３３の中から抽選で選択する。その際、演出制御用ＣＰＵ３１ａは、ホールド演出パターンＥＰ３２の選択確率を１番高くし、ホールド演出パターンＥＰ３３の選択確率を１番低くする。
【００８４】
また、ステップＳ１０９において、演出制御用ＣＰＵ３１ａは、入力した先読みコマンドにより指定される内容がはずれ通常演出である場合には、ホールド演出パターンＥＰ３１，ＥＰ３４，ＥＰ３５の中から抽選で選択する。その際、演出制御用ＣＰＵ３１ａは、ホールド演出パターンＥＰ３１の選択確率を１番高くし、ホールド演出パターンＥＰ３４の選択確率を２番目に高くし、ホールド演出パターンＥＰ３５の選択確率を１番低くする。
【００８５】
次に、ホールド設定処理のステップＳ１１３における選択方法について説明する。ステップＳ１１３において、演出制御用ＣＰＵ３１ａは、入力した先読みコマンドにより指定される内容が大当り演出である場合には、ホールド演出パターンＥＰ４１〜ＥＰ４４の中から抽選で選択する。その際、演出制御用ＣＰＵ３１ａは、ホールド演出パターンＥＰ４４の選択確率を１番高くし、ホールド演出パターンＥＰ４３の選択確率を２番目に高くし、ホールド演出パターンＥＰ４２の選択確率を３番目に高くし、ホールド演出パターンＥＰ４１の選択確率を１番低くする。
【００８６】
また、ステップＳ１１３において、演出制御用ＣＰＵ３１ａは、入力した先読みコマンドにより指定される内容がはずれリーチ演出である場合には、ホールド演出パターンＥＰ４１，ＥＰ４２の中から抽選で選択する。その際、演出制御用ＣＰＵ３１ａは、ホールド演出パターンＥＰ４１の選択確率を１番高くし、ホールド演出パターンＥＰ４２の選択確率を１番低くする。
【００８７】
また、ステップＳ１１３において、演出制御用ＣＰＵ３１ａは、入力した先読みコマンドにより指定される内容がはずれ通常演出である場合には、ホールド演出パターンＥＰ４３，ＥＰ４４の中から抽選で選択する。その際、演出制御用ＣＰＵ３１ａは、ホールド演出パターンＥＰ４３の選択確率を１番高くし、ホールド演出パターンＥＰ４４の選択確率を１番低くする。
【００８８】
これにより、右図柄が最初にホールドされたときには、左図柄が最初にホールドされる場合よりも大当り期待度が高くなる。そして、各変動ゲームにおいて、右図柄が一旦停止表示されるのは、左図柄よりも後であるため、右図柄がホールドされたときには、ホールド演出が開始されたことをより驚かすことができると共に、大当り期待度が高いことを認識させて、遊技者を喜ばすことができる。また、ホールド演出の開始契機として、左図柄と右図柄の２つのタイミングがあるため、遊技者に複数のチャンスがあると思わせることができる。
【００８９】
また、大当り期待度は、左右図柄よりも中図柄がホールドされたときのほうが高いということを認識させることができる。そして、中図柄は、左右図柄よりも後に一旦停止表示されるため、ホールド演出が終了したかのように一旦思わせた後、中図柄が停止表示されて遊技者を驚かすことができる。また、その際には、大当り期待度が高いために遊技者をより喜ばすことができる。また、１ゲーム目及び２ゲーム目において右図柄がホールドされた際には、ホールド演出が４回の変動ゲームに亘って実行されることが確定し、大当り期待度が高いことを認識させることができる。
【００９０】
なお、ステップＳ１０５、ステップＳ１０９又はステップＳ１１３において、ホールド演出パターンを決定した際、演出制御用ＣＰＵ３１ａは、ホールドさせる図柄の種類も合わせて決定する。具体的には、入力した先読みコマンドにより指定された（ホールド演出の対象となる変動ゲームの）内容がはずれ通常演出である場合には、演出制御用ＣＰＵ３１ａは、「１」〜「７」の中から任意に決定する。また、入力した先読みコマンドにより指定された内容がはずれリーチ演出である場合には、演出制御用ＣＰＵ３１ａは、「１」〜「７」の中から任意に決定する。また、入力した先読みコマンドにより指定された内容が大当り演出であり、付与される大当り遊技の種類が１６Ｒ大当りである場合には、演出制御用ＣＰＵ３１ａは、「１」〜「７」の中から任意に決定する。また、入力した先読みコマンドにより指定された内容が大当り演出であり、付与される大当り遊技の種類が２Ｒ大当りである場合には、演出制御用ＣＰＵ３１ａは、「１」〜「６」の中から任意に決定する。なお、演出制御用ＣＰＵ３１ａは、最後の変動ゲームにおいて停止させる大当りの図柄組み合わせを決定する際、ホールドさせた図柄の種類に応じて大当りの図柄組み合わせを決定する。
【００９１】
次に、ホールド演出の実行に係わるホールド実行処理について説明する。ホールド実行処理は、ホールド演出の実行が決定されたとき、変動ゲーム毎に実行される。
ホールド演出の実行が決定され、最初の変動ゲームが開始した場合、演出制御用ＣＰＵ３１ａは、設定されたホールド演出パターン及び入力した変動パターン指定コマンドにより指定された変動パターンに基づき、図柄の表示態様を制御する。すなわち、演出制御用ＣＰＵ３１ａは、１回目の変動ゲームにおいて、設定されたホールド演出パターンに応じた図柄のホールドを開始させるように演出表示装置１１の表示内容を制御する。なお、演出制御用ＣＰＵ３１ａは、ホールド演出実行回数に「１」を加算して、実行した回数を記憶する。ホールド演出実行回数は、ホールド演出の実行が決定されたときに初期値「０」が設定される。このホールド演出実行回数を参照することにより、ホールド演出が実行されてからの回数を把握することができる。
【００９２】
同様に、ホールド演出の実行が決定され、２回目の変動ゲームが開始した場合、演出制御用ＣＰＵ３１ａは、設定されたホールド演出パターン及び指定された変動パターンに基づき、図柄の表示態様を制御する。具体的には、ホールド演出パターンＥＰ２１が設定されている場合には、演出制御用ＣＰＵ３１ａは、２回目の変動ゲームにおいて、新たに図柄をホールドすることなく、はずれの図柄組み合わせが一旦停止表示されたと同時に図柄のホールドを解除して、はずれの図柄組み合わせを確定停止表示させるように制御する。
【００９３】
また、ホールド演出パターンＥＰ３１，ＥＰ４１〜ＥＰ４４が設定されている場合には、演出制御用ＣＰＵ３１ａは、２回目の変動ゲームにおいて、新たな図柄をホールドすることなく、１回目の変動ゲームでホールドされた図柄をそのままホールドして、変動ゲームを終了させる。
【００９４】
また、ホールド演出パターンＥＰ３２〜ＥＰ３５が設定されている場合には、演出制御用ＣＰＵ３１ａは、２回目の変動ゲームにおいて、１回目の変動ゲームでホールドされた図柄に加えて、ホールド演出パターンに応じた新たな図柄をホールドして、変動ゲームを終了させる。なお、２回目の変動ゲームを実行する際、演出制御用ＣＰＵ３１ａは、ホールド演出実行回数に「１」を加算して、実行した回数を記憶する。
【００９５】
同様に、ホールド演出の実行が決定され、３回目の変動ゲームが開始した場合、演出制御用ＣＰＵ３１ａは、設定されているホールド演出パターン及び指定された変動パターンに基づき、図柄の表示態様を制御する。具体的には、ホールド演出パターンＥＰ３１が設定されている場合には、演出制御用ＣＰＵ３１ａは、３回目の変動ゲームにおいて、新たに図柄をホールドすることなく、はずれの図柄組み合わせが一旦停止表示されたと同時に図柄のホールドを解除して、はずれの図柄組み合わせを確定停止表示させるように制御する。
【００９６】
また、ホールド演出パターンＥＰ３２，ＥＰ３３が設定されている場合には、演出制御用ＣＰＵ３１ａは、３回目の変動ゲームにおいて、入力した変動パターン指定コマンドにより指定された変動パターンに基づき、リーチ演出又は大当り演出を実行させるように制御する。なお、３回目の変動ゲームの終了時には、図柄のホールドを解除する。
【００９７】
また、ホールド演出パターンＥＰ３４，ＥＰ３５が設定されている場合であって、３回目の変動ゲームが大当りとなる場合には、演出制御用ＣＰＵ３１ａは、３回目の変動ゲームにおいて、入力した変動パターン指定コマンドにより指定された変動パターンに基づき、大当り演出を実行させるように制御する。なお、３回目の変動ゲームの終了時には、図柄のホールドを解除する。
【００９８】
また、ホールド演出パターンＥＰ３４，ＥＰ３５が選択された場合であって、３回目の変動ゲームがはずれとなる場合には、演出制御用ＣＰＵ３１ａは、３回目の変動ゲームにおいて、新たに図柄をホールドすることなく、はずれの図柄組み合わせを一旦停止表示させる。演出制御用ＣＰＵ３１ａは、それと同時に図柄のホールドを解除して、はずれの図柄組み合わせを確定停止表示させるように制御する。
【００９９】
また、ホールド演出パターンＥＰ４１〜ＥＰ４４が選択された場合には、演出制御用ＣＰＵ３１ａは、３回目の変動ゲームにおいて、１回目及び２回目の変動ゲームでホールドされた図柄に加えて、ホールド演出パターンに応じた新たな図柄をホールドして、変動ゲームを終了させる。なお、３回目の変動ゲームを実行する際、演出制御用ＣＰＵ３１ａは、ホールド演出実行回数に「１」を加算して、実行した回数を記憶する。
【０１００】
同様に、ホールド演出の実行が決定され、４回目の変動ゲームが開始した場合、演出制御用ＣＰＵ３１ａは、設定されているホールド演出パターンや指定された変動パターンに基づき、図柄の表示態様を制御する。具体的には、ホールド演出パターンＥＰ４１，ＥＰ４２が設定されている場合には、演出制御用ＣＰＵ３１ａは、４回目の変動ゲームにおいて、入力した変動パターン指定コマンドにより指定された変動パターンに基づき、リーチ演出又は大当り演出を実行させるように制御する。なお、４回目の変動ゲームの終了時には、図柄のホールドを解除する。
【０１０１】
また、ホールド演出パターンＥＰ４３，ＥＰ４４が設定されている場合であって、４回目の変動ゲームが大当りとなる場合には、演出制御用ＣＰＵ３１ａは、４回目の変動ゲームにおいて、入力した変動パターン指定コマンドにより指定された変動パターンに基づき、大当り演出を実行させるように制御する。なお、４回目の変動ゲームの終了時には、図柄のホールドを解除する。
【０１０２】
また、ホールド演出パターンＥＰ４３，ＥＰ４４が設定されている場合であって、４回目の変動ゲームがはずれとなる場合には、演出制御用ＣＰＵ３１ａは、４回目の変動ゲームにおいて、新たに図柄をホールドすることなく、はずれの図柄組み合わせを一旦停止表示させる。演出制御用ＣＰＵ３１ａは、それと同時に図柄のホールドを解除して、はずれの図柄組み合わせを確定停止表示させるように制御する。
【０１０３】
なお、ホールド演出が終了した際、演出制御用ＣＰＵ３１ａは、ホールド演出フラグからホールド演出中であることを示す値を消去する。以上により、本実施形態における演出制御用ＣＰＵ３１ａが、停止維持演出を表示装置に実行させる演出制御手段となる。
【０１０４】
図８に基づき、ホールド演出における演出態様についてその作用と共に説明する。
図８では、ホールド演出パターンＥＰ４２に基づき、ホールド演出が実行されるものとして説明する。また、最後の変動ゲームにおいてはずれリーチ演出が実行されるものとして説明する。
【０１０５】
図８（ａ）に示すように、１回目の変動ゲームが開始されると、各列の図柄（飾り図柄）の変動表示が開始される。
図８（ｂ）に示すように、１回目の変動ゲームにおいて、左図柄に続いて右図柄が一旦停止表示されると、ホールド演出パターンＥＰ４２に基づき、右図柄のホールドが開始される。具体的には、右図柄にエフェクト画像（本実施形態では、「ホールド」と示す）が装飾される。これにより、遊技者は、ホールド演出が開始されたことを認識することができる。また、右図柄が最初にホールドされたため、左図柄が最初にホールドされるよりも大当り期待度が高いことを認識することができる。
【０１０６】
図８（ｃ）に示すように、２回目の変動ゲームが開始されると、左列及び中列の図柄（飾り図柄）の変動表示が開始される。
図８（ｄ）に示すように、２回目の変動ゲームにおいて、ホールド演出パターンＥＰ４２に基づき、左図柄及び中図柄が一旦停止表示されてもホールドされることなく、変動ゲームが終了する。１回目及び２回目の変動ゲームにおいて、右図柄だけがホールドされた場合に、３回の変動ゲームでホールド演出が終了するホールド演出パターンが存在しないことから、遊技者は、ホールド演出が４回の変動ゲームに亘って実行されることを認識することができる。それと共に、３回の変動ゲームに亘ってホールド演出が実行されるよりも大当り期待度が高いことを認識することができる。
【０１０７】
図８（ｅ）に示すように、３回目の変動ゲームが開始されると、左列及び中列の図柄（飾り図柄）の変動表示が開始される。
図８（ｆ）に示すように、３回目の変動ゲームにおいて、左図柄が一旦停止表示されると、ホールド演出パターンＥＰ４２に基づき、左図柄のホールドが開始される。これにより、遊技者は、４回目の変動ゲームにおいて、リーチ演出が実行されることを認識することができる。
【０１０８】
図８（ｇ）に示すように、４回目の変動ゲームが開始されると、中列の図柄（飾り図柄）の変動表示が開始される。
図８（ｈ）に示すように、４回目の変動ゲームにおいて、入力した変動パターンに基づきリーチ演出が実行される。
【０１０９】
図８（ｉ）に示すように、この結果は前提より、はずれとなる。このとき、左図柄及び右図柄のホールドが解除され、ホールド演出が終了する。
以上詳述したように、本実施形態は、以下の効果を有する。
【０１１０】
（１）ホールド演出パターンＥＰ３２〜ＥＰ３３（通常パターン）に基づき、ホールド演出（停止維持演出）が実行される場合、１回目の変動ゲームから各変動ゲームにおいて、リーチ形成列のうち１列ずつ、図柄の停止表示の維持（ホールド）が開始される。そして、リーチ形成列のうち全ての図柄列において図柄（左右図柄）がホールドされた後（すなわち、３回目）の変動ゲームにおいて、リーチ演出が実行される。
【０１１１】
一方、ホールド演出パターンＥＰ４１〜ＥＰ４２（特別パターン）に基づき、ホールド演出が実行される場合、１回目の変動ゲームから所定回数目（２回目）の変動ゲームを除く各変動ゲームにおいて（つまり、１回目及び３回目において）、リーチ形成列のうち１列ずつ、図柄のホールドが開始される。その一方、２回目の変動ゲームにおいて、図柄のホールドが開始されない。そして、リーチ形成列のうち全ての図柄列において図柄（左右図柄）がホールドされた後（すなわち、４回目）の変動ゲームにおいて、リーチ演出が実行される。
【０１１２】
このため、ホールド演出パターンＥＰ４１〜ＥＰ４２に基づき、ホールド演出が実行される場合、２回目の変動ゲームにおいて、図柄のホールドが開始されないため、ホールド演出が終了したかのように一旦思わせることができ、その後、３回目の変動ゲームが開始して、再び図柄の停止表示の維持が開始された場合、遊技者を驚かすことができる。このため、ホールド演出中、ある変動ゲームで図柄の停止表示の維持が開始されなかった場合（途切れた場合）、ホールド演出が継続するか否かについて注目させることができる。このため、同じ種類の図柄が停止表示されるか否かについてだけ注目されることが無くなる。
【０１１３】
（２）また、２回目の変動ゲームまでに、右列（非特定の図柄列）において図柄のホールドが開始され、２回目の変動ゲームにおいて、そのまま右図柄がホールドされ続けるホールド演出パターンＥＰ４２（第２特別パターン）が存在する。また、２回目の変動ゲームまでに、左列（特定の図柄列）において図柄のホールドが開始され、２回目の変動ゲームにおいて、そのまま左図柄のホールドされ続けるホールド演出パターンＥＰ４１（第１特別パターン）が存在する。
【０１１４】
また、２回目の変動ゲームまでに、左列（特定の図柄列）において図柄のホールドが開始され、その後の変動ゲームにおいて新たな図柄のホールドやリーチ演出又は大当り演出が開始されることなくホールド演出が終了するホールド演出パターンＥＰ２１，ＥＰ３１（はずれパターン）が存在する。その一方、２回目の変動ゲームまでに、右列（非特定の図柄列）において図柄の停止表示の維持が開始され、その後の変動ゲームにおいて新たな図柄のホールドや、大当り演出又はリーチ演出が開始されることなくホールド演出が終了するホールド演出パターンは存在しない。
【０１１５】
このため、２回目の変動ゲームまでに、右図柄のホールド（停止表示の維持）が開始された場合、遊技者は、次の変動ゲームで終了することなく、ホールド演出が継続し、新たな図柄のホールド、大当り演出又はリーチ演出が実行されることを事前に認識することができる。このため、２回目の変動ゲームまでに、右列において図柄のホールドが開始されたか否かについて注目させることができる。従って、同じ種類の図柄が停止表示されるか否かについてだけ注目されることが無くなる。
【０１１６】
（３）ホールド演出パターンには、リーチ形成列のうち１列ずつ、図柄のホールドを開始させ、全てのリーチ形成列において図柄がホールドされる前（２回目又は３回目の変動ゲーム）において、リーチ形成列を構成しない中列の図柄のホールドを開始させるパターンが存在する。具体的には、ホールド演出パターンＥＰ３４，ＥＰ３５，ＥＰ４３，ＥＰ４４が存在する。これにより、リーチ形成列を構成しない図柄列において、図柄のホールド（停止表示の維持）が行われるため、図柄の停止表示の維持態様について驚かすことができる。また、リーチ形成列以外の図柄列において図柄の停止表示が維持されるかについて注目させることができる。また、リーチ形成列の方が、リーチ形成列以外の図柄列よりも一旦停止表示される順序が早いため、遊技者に、左右図柄がホールドしなかったと思わせた後に、中図柄のホールドを開始させることができ、遊技者を驚かすことができる。
【０１１７】
（４）中図柄をホールドさせるホールド演出パターンＥＰ３４，ＥＰ３５，ＥＰ４３，ＥＰ４４においては、右図柄をホールドさせる方が、左図柄をホールドさせるよりも大当り期待度が高くなるようになっている。これにより、リーチ形成列のうちどちらの列の図柄がホールドされるかについて注目させることができる。また、右図柄がホールドされた場合、中図柄がホールドされるかについて注目させることができる。
【０１１８】
（第２実施形態）
次に、パチンコ機を具体化した第２実施形態を説明する。なお、第１実施形態と同様の構成は、第１実施形態と同じ符号を付してその詳細な説明及び図面は省略又は簡略する。
【０１１９】
本実施形態では、主制御用ＲＡＭ３０ｃに記憶された各始動保留球に対応してそれぞれ保留表示画像が演出表示装置１１の画像表示部ＧＨに表示されるように構成されている。つまり、演出制御用ＣＰＵ３１ａは、主制御用ＣＰＵ３０ａから保留指定コマンドを入力する毎に、保留指定コマンドにより指定された保留記憶数に応じて保留表示画像を画像表示部ＧＨに表示させるように制御する。本実施形態においては、保留表示画像は、最大４つ横並びに表示される。そして、左端から順番に保留記憶数「１」〜「４」に対応する保留表示画像がそれぞれ表示される。保留表示画像は、変動ゲームが開始される毎に、左端の保留記憶数「１」に対応する保留表示画像が消去されると共に、他の保留表示画像が左側に１つずつ移動するように表示される。一方、保留指定コマンドを入力すると、新たな保留表示画像が右側に追加される。
【０１２０】
また、ホールド演出の実行中、演出制御用ＣＰＵ３１ａは、当該保留表示画像の表示態様を変化させて、ホールド演出の対象となる変動ゲームの大当り期待度や付与される可能性がある大当り遊技の種類を示唆する保留変化予告を実行するように構成されている。
【０１２１】
より詳しくは、ホールド演出の実行中に新たに記憶（保留）された始動保留球に対応する保留表示画像の表示態様を変化させる。つまり、ホールド演出の対象となる変動ゲームに対応する始動保留球の保留表示画像よりも後に記憶（保留）された始動保留球に対応する保留表示画像の表示態様を変化させる。
【０１２２】
その際、保留表示画像毎に変化させる表示態様を異ならせ、表示態様を変化させた保留表示画像の組み合わせによって、変動ゲームの大当り期待度等を示唆するようになっている。本実施形態の保留変化予告では、ホールド演出の対象となる変動ゲームの始動保留球よりも後に記憶（保留）された４つの始動保留球に対応する保留表示画像の表示態様が変化されるように構成されている。具体的には、保留表示画像の表示態様を変更した際、１文字ずつ、文字が表示されるようになっており、この文字の組み合わせによって変動ゲームの大当り期待度等を示唆している。
【０１２３】
以下、保留変化予告に関する処理について説明する。まず、保留変化予告を実行させるか否か、及び保留変化予告の演出内容について決定する保留変化予告設定処理について説明する。
【０１２４】
ホールド演出の実行中であることを示す値がホールド演出フラグに設定されると、演出制御用ＣＰＵ３１ａは、保留変化予告を実行させるか否かを抽選により決定する。この判定結果が否定の場合、演出制御用ＣＰＵ３１ａは、保留変化予告を実行させないことを決定する。
【０１２５】
一方、この判定結果が肯定の場合、演出制御用ＣＰＵ３１ａは、ホールド演出の対象となる変動パターンの内容を指定した先読みコマンドに基づき、保留表示画像の表示態様を特定する表示パターンを決定するために使用する表示パターン群を決定する。本実施形態では、２種類の表示パターン群の中から決定する。
【０１２６】
図９に示すように、表示パターン群には、それぞれ複数（本実施形態では２種類）の表示パターンが分類されている。表示パターンによって、ホールド演出の対象となる変動ゲームの始動保留球よりも後に記憶（保留）された４つの始動保留球に対応する保留表示画像の表示態様（具体的には、文字内容）を特定可能となっている。そして、同じ表示パターン群に分類されている表示パターンによって保留変化予告が実行された場合、各保留表示画像の表示態様のうち一部が異なり、一部が同じとなるように構成されている。本実施形態では、４つの保留表示画像の表示態様（文字）のうち、最初から３つ目までの表示態様（文字）が同じとなり、４つ目の表示態様（文字）が異なるようになっている。以下では、４つの保留表示画像の表示態様の組み合わせにより、４文字熟語（「一騎当千」又は「一進一退」）が完成する表示パターンを成功表示パターンと示し、４文字熟語が完成しない（最後の文字が「×」）表示パターンを失敗表示パターンと示す。
【０１２７】
表示パターン群を決定する際、先読みコマンドにより大当り演出が指定されている場合には、演出制御用ＣＰＵ３１ａは、大当り期待度の高い第１表示パターン群を高確率で決定し、大当り期待度の低い第２表示パターン群を低確率で決定する。一方、先読みコマンドによりはずれリーチ演出又ははずれ通常演出が指定されている場合には、演出制御用ＣＰＵ３１ａは、大当り期待度の高い第１表示パターン群を低確率で決定し、大当り期待度の低い第２表示パターン群を高確率で決定する。
【０１２８】
次に、演出制御用ＣＰＵ３１ａは、ホールド設定処理のステップＳ１０５、ステップＳ１０９又はステップＳ１１３のいずれかにおいて、決定したホールドさせる図柄の種類に基づき、決定した表示パターン群に分類される表示パターンのうちいずれを決定するかについて決定する。つまり、成功表示パターンと失敗表示パターンのうちいずれかを決定する。
【０１２９】
具体的には、ホールドさせる図柄の種類が「１」〜「６」である場合であって、ホールド演出の対象となる変動ゲームがはずれとなる場合（先読みコマンドによりはずれリーチ演出又ははずれ通常演出が指定された場合）、演出制御用ＣＰＵ３１ａは、決定した表示パターン群に分類される２つの表示パターンの中から抽選によって決定する。
【０１３０】
一方、ホールドさせる図柄の種類が「１」〜「６」である場合であって、ホールド演出の対象となる変動ゲームで１６Ｒ大当りが付与される場合（先読みコマンドにより１６Ｒ大当りが指定された場合）、演出制御用ＣＰＵ３１ａは、決定した表示パターン群に分類される成功表示パターンを決定する。また、ホールドさせる図柄の種類が「１」〜「６」である場合であって、ホールド演出の対象となる変動ゲームで２Ｒ大当りが付与される場合（先読みコマンドにより２Ｒ大当りが指定された場合）、演出制御用ＣＰＵ３１ａは、決定した表示パターン群に分類される失敗表示パターンを決定する。
【０１３１】
そして、ホールドさせる図柄の種類が「７」である場合であって、ホールド演出の対象となる変動ゲームで１６Ｒ大当りが付与される場合（先読みコマンドにより１６Ｒ大当りが指定された場合）、演出制御用ＣＰＵ３１ａは、決定した表示パターン群に分類される２つの表示パターンの中から抽選で決定する。一方、ホールドさせる図柄の種類が「７」である場合であって、ホールド演出の対象となる変動ゲームがはずれとなる場合（先読みコマンドによりはずれリーチ演出又ははずれ通常演出が指定された場合）、演出制御用ＣＰＵ３１ａは、決定した表示パターン群に分類される失敗表示パターンを決定する。なお、ホールド演出の対象となる変動ゲームが２Ｒ大当りとなる場合、ホールドさせる図柄の種類が「７」となることはない。
【０１３２】
このため、ホールドされた図柄の種類が「１」〜「６」である場合において、成功表示パターンで保留変化予告が実行された場合、１６Ｒ大当り又ははずれ（はずれリーチを含む）となることを認識することができる。一方、ホールドされた図柄の種類が「１」〜「６」である場合において、失敗表示パターンで保留変化予告が実行された場合、２Ｒ大当り又ははずれ（はずれリーチを含む）となることを認識することができる。
【０１３３】
また、ホールドされた図柄の種類が「７」である場合において、成功表示パターンで保留変化予告が実行された場合、１６Ｒ大当り（大当り確定）となることを認識することができる。ホールドされた図柄の種類が「７」である場合において、失敗表示パターンで保留変化予告が実行された場合、１６Ｒ大当り又ははずれ（はずれリーチを含む）となることを認識することができる。
【０１３４】
また、表示パターンを決定した後、演出制御用ＣＰＵ３１ａは、保留変化予告の実行中を示す値を保留変化予告フラグに設定する。この保留変化予告フラグを確認することにより、保留変化予告中であるか否かを判別することができる。保留変化予告フラグは、演出制御用ＲＡＭ３１ｃに記憶される。また、表示態様を変化させた保留表示画像の数を示す保留変化回数に「０」を設定する。保留変化回数は、保留変化画像の表示態様を変化させる毎に１加算される。
【０１３５】
次に、保留変化予告を実行させる際の処理について説明する。
演出制御用ＣＰＵ３１ａは、保留指定コマンドを入力した際、保留記憶数が増加したか否かを判定する。この判定結果が肯定の場合、演出制御用ＣＰＵ３１ａは、保留記憶数に応じて、新たな保留表示画像を画像表示部ＧＨに表示させる。
【０１３６】
そして、ホールド演出中であって、保留変化予告の実行中である場合には、新たな保留表示画像を表示させる際、演出制御用ＣＰＵ３１ａは、設定された表示パターンに従って、保留表示画像の表示態様を変化させる。その際、演出制御用ＣＰＵ３１ａは、表示パターンに従って、保留表示画像の表示態様を保留順に変化させる。なお、保留順は、保留変化回数を確認することにより、把握することができる。
【０１３７】
一方、演出制御用ＣＰＵ３１ａは、保留指定コマンドを入力した際、保留記憶数が増加しなかった場合（つまり、減少した場合）、演出制御用ＣＰＵ３１ａは、保留記憶数に応じて、最初の保留表示画像を消去させる。
【０１３８】
図１０に基づき、保留変化予告における演出態様についてその作用と共に説明する。
図１０では、ホールド演出パターンＥＰ４２に基づき、ホールド演出が実行されるものとして説明する。また、最後の変動ゲームにおいて１６Ｒ大当りが付与されるものとして説明する。また、図柄「７」がホールドされ、最後の変動ゲームにおいて大当りの図柄組み合わせ「７７７」が停止表示されるものとして説明する。また、成功表示パターンＳＰ１が決定されたものとして説明する。また、ホールド演出の開始時おける保留記憶数は「４」であるものとする。
【０１３９】
図１０（ａ）に示すように、１回目の変動ゲームが開始されると、各列の図柄（飾り図柄）の変動表示が開始される。このとき、保留記憶数が１減少し、３つの保留表示画像が通常表示態様（図では「●」で示す）で表示されることとなる。
【０１４０】
図１０（ｂ）に示すように、１回目の変動ゲームにおいて、左図柄に続いて右図柄が一旦停止表示されると、ホールド演出パターンＥＰ４２に基づき、右図柄「７」のホールドが開始される。
【０１４１】
図１０（ｃ）に示すように、２回目の変動ゲームが開始されると、左列及び中列の図柄（飾り図柄）の変動表示が開始される。このとき、保留記憶数が１減少し、２つの保留表示画像が通常表示態様で表示されることとなる。
【０１４２】
ここで、２回目の変動ゲーム中に、遊技球が始動入賞口１４に入球し、新たな保留表示画像が表示されるものとして説明する。
これにより、図１０（ｄ）に示すように、保留記憶数が１増加して、保留記憶数が「３」となる。このとき、演出制御用ＣＰＵ３１ａは、成功表示パターンＳＰ１に基づき、ホールド演出の対象となる保留表示画像よりも後の保留表示画像のうち、最初の保留表示画像の表示態様を変化させる。具体的には、「一」という文字が表示されるように保留表示画像の表示態様を変化させる。これにより、遊技者は、保留変化予告が実行されていることを認識することができる。この時点では、第１表示パターン群が選択されたか否かを認識できないため、保留記憶数を増加させる意欲を持たせることができる。
【０１４３】
図１０（ｅ）に示すように、２回目の変動ゲームにおいて、ホールド演出パターンＥＰ４２に基づき、左図柄及び中図柄が一旦停止表示されてもホールドされることなく、変動ゲームが終了する。
【０１４４】
図１０（ｆ）に示すように、３回目の変動ゲームが開始されると、左列及び中列の図柄（飾り図柄）の変動表示が開始される。このとき、保留記憶数が１減少し、通常表示態様の保留表示画像と、表示態様が変化した保留表示画像が表示される。
【０１４５】
ここで、３回目の変動ゲーム中に、ホールド演出が開始してから２つ目の遊技球が始動入賞口１４に入球し、新たな保留表示画像が表示されるものとして説明する。
これにより、図１０（ｇ）に示すように、保留記憶数が１増加して、再び保留記憶数が「３」となる。このとき、演出制御用ＣＰＵ３１ａは、表示パターンＳＰ１に基づき、ホールド演出の対象となる保留表示画像よりも後の保留表示画像のうち、２番目の保留表示画像の表示態様を変化させる。具体的には、「騎」という文字が表示されるように保留表示画像の表示態様を変化させる。これにより、遊技者は、大当り期待度が高い第１表示パターン群が決定されていることを認識することができる。このため、より一層、保留記憶数を増加して、成功表示パターンとなるか否かを確かめたいと思わせることができる。
【０１４６】
図１０（ｈ）に示すように、３回目の変動ゲームにおいて、左図柄が一旦停止表示されると、ホールド演出パターンＥＰ４２に基づき、左図柄「７」のホールドが開始される。これにより、遊技者は、４回目の変動ゲームにおいて、リーチ演出が実行されることを認識することができる。
【０１４７】
図１０（ｉ）に示すように、４回目の変動ゲームが開始されると、中列の図柄（飾り図柄）の変動表示が開始される。このとき、保留記憶数が１減少し、２つの保留表示画像が変化表示態様で表示されることとなる。
【０１４８】
そして、４回目の変動ゲーム中に、ホールド演出が開始してから３つ目及び４つ目の遊技球が始動入賞口１４に入球し、新たな保留表示画像が表示されるものとして説明する。
これにより、図１０（ｊ）に示すように、保留記憶数が２増加して、保留記憶数が「４」となる。このとき、演出制御用ＣＰＵ３１ａは、表示パターンＳＰ１に基づき、ホールド演出の対象となる保留表示画像よりも後の保留表示画像のうち、３番目及び４番目の保留表示画像の表示態様を変化させる。具体的には、「当」という文字と、「千」という文字が表示されるように各保留表示画像の表示態様を変化させる。これにより、保留変化予告は、成功表示パターンにより、実行されていることを認識することができる。そして、ホールドされている図柄の種類が「７」であり、「７」の図柄でリーチ演出が実行されることが認識できるようになっている。「７」の図柄でリーチ演出が実行される場合には、１６Ｒ大当りであるときにしか成功表示パターンが決定されることがないため、遊技者は、１６Ｒ大当りが付与されることを認識することができる。
【０１４９】
図１１（ａ）に示すように、４回目の変動ゲームにおいて、入力した変動パターンに基づきリーチ演出が実行される。
図１１（ｂ）に示すように、この結果は前提より、大当りとなる。このとき、左図柄及び右図柄のホールドが解除され、ホールド演出が終了する。
【０１５０】
以上詳述したように、本実施形態は、第１実施形態の効果に加えて、以下の効果を有する。
（５）ホールド演出中、保留変化予告が実行される場合がある。保留変化予告が実行される場合、ホールド演出の対象となる変動ゲームの大当り期待度などを事前に知りたいと思わせ、保留変化予告に対して注目させることができる。このため、遊技者に、新たな保留表示画像を表示させるために、始動入賞口１４に遊技球を入球させることができる。これにより、ホールド演出中であっても、遊技者を待たせて退屈させることがない。
【０１５１】
（６）また、新たに記憶された始動保留球に対応する保留表示画像の表示態様を変化させることにより、保留変化予告を実行するため、例え、ホールド演出の対象となる変動ゲームがはずれとなった場合であっても、始動保留球が無駄にならない。すなわち、保留変化予告を通じて保留記憶数を増加させることができるため、ホールド演出の対象となる変動ゲームがはずれとなったとしても続けて遊技を継続させることができる。
【０１５２】
（７）複数の保留表示画像の表示態様の組み合わせによって、大当り期待度などを示唆するため、遊技者に複数の遊技球を入球させることができる。さらに、複数の保留表示画像の表示態様の組み合わせは、表示パターンが異なったとしても一部一致する（つまり、一部だけ異なる）場合がある。この場合、どの表示パターンであるかについて興味を持たせ、新たな保留表示画像を表示させる意欲を持たせることができる。本実施形態では、最後の保留表示画像の表示態様の違いにより、成功表示パターンか否かが分かるようになっているため、最後まで遊技者に保留表示画像を表示させたいと思わせることができる。
【０１５３】
（８）ホールドされる図柄の種類が「１」〜「６」である場合において、成功表示パターンで保留変化予告が実行された場合には、１６Ｒ大当り又ははずれとなることが示唆される一方、失敗表示パターンで実行された場合には、２Ｒ大当り又ははずれとなることが示唆される。ホールドされる図柄の種類が「７」である場合において、成功表示パターンで実行された場合には、１６Ｒ大当りとなることが示唆される一方、失敗表示パターンで実行された場合には、１６Ｒ大当り又ははずれとなることが示唆される。このように、ホールドされる図柄の種類と、成功表示パターン又は失敗表示パターンの組み合わせによって、示唆される内容が異なる。このため、表示パターンの違いだけではなく、ホールドされる図柄の種類についても注目させ、遊技の興趣を向上させることができる。
【０１５４】
（９）保留記憶数の上限となる４つの保留表示画像の表示態様を変化させることにより、保留変化予告を実行している。つまり、ホールド演出の対象となる変動ゲームが実行されているときにしか４つの保留表示画像を表示させることができない。このため、ホールド演出の対象となる変動ゲーム中であっても、遊技者に遊技球を発射させることができる。また、ホールド演出の対象となる変動ゲーム中に、保留予告演出の全容がわかるため、最後まで遊技者を期待させることができる。また、変動ゲーム中に、４つの保留表示画像が表示されて保留変化予告が完成するため、どの変動ゲームの内容を示唆しているのかを容易に理解できる。
【０１５５】
なお、上記実施形態は、次のような別の実施形態（別例）にて具体化できる。
・上記実施形態において、リーチ形成列を構成しない中図柄をホールドさせるホールド演出パターンＥＰ３４，ＥＰ３５，ＥＰ４３，ＥＰ４４を設けたが、設けなくても良い。
【０１５６】
・上記実施形態において、左図柄が先にホールドされたときにおける大当り期待度と、右図柄が先にホールドされたときにおける大当り期待度を異ならせたが、同じであっても良い。
【０１５７】
・上記実施形態において、リーチ形成列を構成する全ての図柄（左右図柄）がホールドされた変動ゲームの次の変動ゲームでリーチ演出を実行させたが、リーチ形成列を構成する全ての図柄（左右図柄）がホールドされた後ならば、どの変動ゲームでリーチ演出を実行させても良い。つまり、リーチ形成列を構成する全ての図柄（左右図柄）がホールドされた変動ゲームでリーチ演出を実行させても良い。
【０１５８】
・上記実施形態において、変動ゲームが大当りとなる場合、付与される大当り遊技の種類に応じて、大当りの図柄組み合わせ及びホールドする図柄の種類を変更したが、変更しなくても良い。つまり、大当り遊技の種類にかかわらず、大当りの図柄組み合わせ及びホールドする図柄の種類を決定しても良い。
【０１５９】
・上記第２実施形態の保留変化予告において、４つの保留表示画像の表示態様を変化させたが、その数は任意に変更しても良い。１つでも良いし、２つでも良い。
・上記第２実施形態の保留変化予告において、ホールド演出の対象となる変動ゲームに対応する保留表示画像よりも後の保留表示画像の表示態様を変更したが、ホールド演出の対象となる変動ゲームに対応する保留表示画像や、当該保留表示画像よりも前の保留表示画像の表示態様を変更しても良い。
【０１６０】
・上記実施形態では、主制御用ＣＰＵ３０ａが、ホールド演出の対象となる変動ゲームの演出内容などを先読みしていたが、演出制御用ＣＰＵ３１ａが、ホールド演出の対象となる変動ゲームの演出内容などを先読みしてもよい。この場合、主制御用ＣＰＵ３０ａが、遊技球を検知したときに取得した各種乱数を演出制御基板３１に出力し、演出制御用ＣＰＵ３１ａが、当該乱数に基づきホールド演出の対象となる変動ゲームの演出内容などを先読みするようにすればよい。
【０１６１】
・上記実施形態において、先読みゲーム数が２回であるときにもホールド演出を実行させたが、３回以上であるときに限り、ホールド演出を実行させても良い。
・上記実施形態において、画像表示部ＧＨにおける変動ゲームの図柄列は、３列としたが、３列以上にしてもよい。また、この場合、リーチ形成列は、予め決められた２列以上となる。
【０１６２】
・上記実施形態のホールド演出において、１回の変動ゲームで、ホールドさせる図柄列の数は、１列のみだったが、複数列の図柄列（例えば２列）をホールドしてもよい。これにより、どれだけホールドされるか予想しにくくなり、より注目させることができる。
【０１６３】
・上記実施形態において、ホールド演出中、図柄をホールドした場合、ホールド演出が終了するまで図柄を停止表示させ続けたが、一旦変動表示して、再び同じ図柄を停止表示させても良い。この場合でも、図柄の停止表示を維持しているとする。
【０１６４】
次に、上記実施形態及び別例から把握できる技術的思想を以下に追記する。
（イ）複数種類の図柄を複数列で変動させて表示する変動ゲームを行う表示装置を備えた遊技機において、演出パターンに基づき、複数回の変動ゲームに亘って実行される停止維持演出を表示装置に実行させる演出制御手段を備え、前記表示装置は、前記停止維持演出が実行される際、いずれかの図柄列において、図柄の停止表示の維持が開始された場合、当該図柄列では、それ以降、停止維持演出が終了するまで図柄の停止表示を維持するように構成されており、前記停止維持演出の演出内容を特定する演出パターンには、前記停止維持演出中、１回目の変動ゲームにおいて、予め決められたリーチ形成列のうち１の図柄列で図柄の停止表示の維持を開始させ、２回目の変動ゲームにおいて、予め決められたリーチ形成列のうち残りの図柄列で図柄の停止表示の維持を開始させ、２回目以降の変動ゲームにおいて、リーチ演出を実行させる通常パターンと、前記停止維持演出中、１回目の変動ゲームにおいて、予め決められたリーチ形成列のうち１の図柄列で図柄の停止表示の維持を開始させ、２回目の変動ゲームにおいて、図柄の停止表示の維持を開始させず、３回目の変動ゲームにおいて、予め決められたリーチ形成列のうち残りの図柄列で図柄の停止表示の維持を開始させ、３回目以降の変動ゲームにおいて、リーチ演出を実行させる特別パターンと、前記停止維持演出中、１回目の変動ゲームにおいて、予め決められたリーチ形成列のうち１の図柄列で図柄の停止表示の維持を開始させ、２回目の変動ゲームにおいて、図柄の停止表示の維持を開始させず、３回目以降の変動ゲームにおいて、リーチ演出を実行させることなく、停止維持演出が終了するはずれパターンが存在し、前記特別パターンには、前記停止維持演出中、１回目の変動ゲームにおいて、特定の図柄列で図柄の停止表示の維持を開始させる第１特別パターンと、前記停止維持演出中、１回目の変動ゲームにおいて、特定の図柄列とは異なる非特定の図柄列で図柄の停止表示の維持を開始させる第２特別パターンが含まれ、前記はずれパターンには、前記停止維持演出中、１回目の変動ゲームにおいて、特定の図柄列で図柄の停止表示の維持を開始させるはずれパターンが含まれる一方、前記停止維持演出中、１回目の変動ゲームにおいて、非特定の図柄列で図柄の停止表示の維持を開始させるはずれパターンは含まれないことを特徴とする遊技機。
【０１６５】
（ロ）上記実施形態において、前記変動ゲームは、始動検知手段により遊技球が検知される毎に始動条件が成立するようにしてもよい。
【符号の説明】
【０１６６】
ＧＨ…画像表示部、ＳＥ１…始動口センサ、ＳＥ２…カウントセンサ、ＳＯＬ１…大入賞口ソレノイド、１０…遊技盤、１１…演出表示装置、１２…特別図柄表示装置、１４…始動入賞口、１７…大入賞口扉、１８…大入賞口、２０…保留表示装置、３０…主制御基板、３０ａ…主制御用ＣＰＵ、３０ｂ…主制御用ＲＯＭ、３０ｃ…主制御用ＲＡＭ、３０ｄ…乱数生成器、３１…演出制御基板、３１ａ…演出制御用ＣＰＵ、３１ｂ…演出制御用ＲＯＭ、３１ｃ…演出制御用ＲＡＭ。
【図１】
0005970429.tif 000002
【図２】
0005970429.tif 000003
【図３】
0005970429.tif 000004
【図４】
0005970429.tif 000005
【図５】
0005970429.tif 000006
【図６】
0005970429.tif 000007
【図７】
0005970429.tif 000008
【図８】
0005970429.tif 000009
【図９】
0005970429.tif 000010
【図１０】
0005970429.tif 000011
【図１１】
0005970429.tif 000012